(57)【特許請求の範囲】
【請求項１】
端末によって要求されたサービスの情報を含むメッセージをフェムト・アクセス・ポイント（ＦＡＰ）によって受信することと、ここで、前記サービスは、緊急サービス（ＥＳ）であり、
前記ＦＡＰ自身が前記サービスをサポートしないことを前記ＦＡＰが決定するとき、前記サービスをサポートする基地局の情報を前記ＦＡＰによって取得することと、
前記端末が前記サービスをサポートする基地局の情報に従って目標基地局を決定できるように、前記サービスをサポートする基地局の情報を前記ＦＡＰによって前記端末に送信することと、
を含むリダイレクト方法。
【請求項２】
前記端末に送信される前記基地局の情報は、
前記基地局の識別子、又は
前記基地局の識別子及び前記基地局によって用いられるチャンネル周波数を含む、
請求項１に記載のリダイレクト方法。
【請求項３】
前記ＦＡＰが前記サービスをサポートしないことを前記ＦＡＰが決定することは、前記ＦＡＰがＥＳサポート能力を持たないか又は前記ＦＡＰのＥＳサポート能力が無効化されるとき、前記ＦＡＰが前記ＥＳをサポートしないことを前記ＦＡＰが決定することを含む、
請求項１又は２に記載のリダイレクト方法。
【請求項４】
前記サービスをサポートする基地局の情報を取得することが、ＦＡＰ管理サーバーから前記ＥＳをサポートする基地局の情報を前記ＦＡＰによって取得することを含むか、又は、
前記サービスをサポートする基地局の情報を取得することが、前記ＦＡＰ管理サーバーから基地局の情報を前記ＦＡＰによって取得し、前記取得した基地局の情報から前記ＥＳをサポートする基地局の情報を決定することを含むか、又は、
前記サービスをサポートする基地局の情報を取得することが、ローカルに予め構成された基地局の情報に従って、前記ＥＳをサポートする基地局の情報を前記ＦＡＰによって決定することを含む、
請求項３に記載のリダイレクト方法。
【請求項５】
前記ＥＳをサポートする基地局は、
前記ＦＡＰに隣接するマクロ基地局（ＭＢＳ）と、
前記ＥＳをサポートし、且つ、前記ＦＡＰに隣接するＦＡＰと、
のうちの少なくとも１つを含む、請求項３又は４に記載のリダイレクト方法。
【請求項６】
端末によって要求されたサービスの情報を含むメッセージを受信するように構成されるサービス情報受信モジュールと、ここで、前記サービスは、緊急サービス（ＥＳ）であり、
前記サービスをサポートしないことをＦＡＰが決定するとき、前記サービスをサポートする基地局（ＢＳ）の情報を取得するように構成される基地局情報取得モジュールと、
前記端末が、前記サービスをサポートする基地局の情報に従って目標基地局を決定できるように、前記サービスをサポートする基地局の情報を前記端末へ送信するように構成される基地局情報送信モジュールと、
を備えるフェムト・アクセス・ポイント（ＦＡＰ）。
【請求項７】
前記基地局情報送信モジュールは、前記基地局の識別子を送信するか、又は前記基地局の識別子及び前記基地局によって用いられるチャンネル周波数を送信するように構成される、
請求項６に記載のＦＡＰ。
【請求項８】
前記基地局情報取得モジュールは、
前記ＦＡＰがＥＳサポート能力を持たないか又は前記ＦＡＰの前記ＥＳサポート能力が無効化されるとき、前記ＦＡＰが前記ＥＳをサポートしないことを決定するように構成されるサポート能力決定ユニットと、
前記ＦＡＰが前記ＥＳをサポートしないことを前記サポート能力決定ユニットが決定するとき、前記ＥＳをサポートする基地局の情報を取得するように構成される基地局情報取得ユニットと、
を備える、請求項６又は７に記載のＦＡＰ。
【請求項９】
前記基地局情報取得ユニットは、
ＦＡＰ管理サーバーから前記ＥＳをサポートする基地局の情報を取得するように構成される第１の取得サブユニットと、
前記ＦＡＰ管理サーバーから前記基地局の情報を取得して、前記取得した基地局の情報から前記ＥＳをサポートする基地局の情報を決定するように構成される第２の取得サブユニットと、
基地局のローカルに予め構成された情報に従って前記ＥＳをサポートする基地局の情報を決定するように構成される第３の取得サブユニットと、
のうちの少なくとも１つを備える、請求項８に記載のＦＡＰ。
【請求項１０】
前記ＥＳをサポートする前記基地局は、
前記ＦＡＰに隣接するマクロ基地局（ＭＢＳ）と、
前記ＥＳをサポートし、且つ、前記ＦＡＰに隣接するＦＡＰと、
のうちの少なくとも１つを備える、請求項８又は９に記載のＦＡＰ。
【請求項１１】
端末によって要求されたサービスの情報を含むメッセージをフェムト・アクセス・ポイント（ＦＡＰ）に送信するように構成されるサービス情報送信モジュールと、ここで、前記サービスは、緊急サービス（ＥＳ）であり、
前記ＦＡＰから送信された前記サービスをサポートする基地局の情報を受信するように構成され、前記ＦＡＰが前記サービスをサポートしないことを前記ＦＡＰが決定するとき、前記サービスをサポートする基地局の情報が前記ＦＡＰによって取得される、基地局情報受信モジュールと、
前記サービスをサポートする基地局の情報に従って目標基地局を決定するように構成される基地局決定モジュールと、
を備える端末。
【請求項１２】
ｉ）  前記基地局情報受信モジュールが、更に、前記基地局の識別子を受信するように構成され、且つ、
前記基地局決定モジュールが、前記識別子に対応する前記サービスをサポートする基地局の信号強度に従って前記目標基地局を決定するように構成される第１の決定ユニットを備えるか、
又は、
ｉｉ）  前記基地局情報受信モジュールが、更に、前記基地局の識別子及び前記基地局によって用いられるチャンネル周波数を受信するように構成され、且つ、
前記基地局決定モジュールが、前記端末によってサポートされるチャンネル周波数と一致するチャンネル周波数を有する基地局を前記目標基地局として決定するように構成される第２の決定ユニットを備える、
請求項１１に記載の端末。
【請求項１３】
フェムト・アクセス・ポイント（ＦＡＰ）と、前記ＦＡＰと通信接続している端末と、を含む通信システムであって、
前記ＦＡＰは、
前記端末によって要求されたサービスの情報を含むメッセージを受信し、ここで、前記サービスは、緊急サービス（ＥＳ）であり、
前記ＦＡＰが前記サービスをサポートしないことを前記ＦＡＰが決定するとき、前記サービスをサポートする基地局の情報を取得し、
前記端末が前記サービスをサポートする基地局の情報に従って目標基地局を決定できるように、前記サービスをサポートする基地局の情報を前記端末に送信するように構成される、
通信システム。
【請求項１４】
ＦＡＰから送信されたサービスをサポートする基地局の情報の照会要求を受信するように構成される受信モジュールと、ここで、前記サービスは、緊急サービス（ＥＳ）であり、
照会モジュールに記憶された基地局の情報を照会して、前記照会要求を送信する前記ＦＡＰに隣接する基地局の情報を取得するように構成される前記照会モジュールと、
前記照会要求を送信する前記ＦＡＰに前記隣接する基地局の情報を送信するように構成される送信モジュールと、
を備えるフェムト・アクセス・ポイント（ＦＡＰ）管理サーバー。
【請求項１５】
前記照会モジュールは、前記照会モジュールに記憶された前記基地局の情報を照会して、前記サーバーをサポートする基地局の情報を取得するようにさらに構成され、
前記送信モジュールは、前記照会要求を送信する前記ＦＡＰに前記サービスをサポートする基地局の情報を送信するように構成される、
請求項１４に記載のＦＡＰ管理サーバー。
【請求項１６】
端末によって要求されたサービスの情報を含むメッセージを前記端末によってフェムト・アクセス・ポイント（ＦＡＰ）に送信することと、ここで、前記サービスは、緊急サービス（ＥＳ）であり、
前記ＦＡＰによって送信された他の基地局の情報を前記端末によって受信することであって、前記ＦＡＰ自身が前記サービスをサポートしないことを前記ＦＡＰが決定するとき、前記他の基地局の情報が前記ＦＡＰによって取得される、前記受信することと、
前記他の基地局の情報に従って前記サービスをサポートする目標基地局を前記端末によって決定して、前記メッセージを前記目標基地局に送信することと、
を含むリダイレクト方法。
【請求項１７】
前記他の基地局の情報は、基地局の識別子及び対応する基地局が前記サービスをサポートするかどうかを指示する指示情報を含み、
前記他の基地局の情報に従って、前記サービスをサポートする目標基地局を前記端末によって決定することは、
前記対応する基地局が前記サービスをサポートするかどうかを指示する前記指示情報に従って、前記サービスをサポートする基地局を前記端末によって決定することと、
前記サービスをサポートする基地局の中で前記目標基地局を決定することと、
を含む、請求項１６に記載のリダイレクト方法。
【請求項１８】
前記サービスをサポートする基地局の中で前記目標基地局を決定することは、
前記サービスをサポートする基地局の信号強度に従って、前記目標基地局を決定することを含む、
請求項１７に記載のリダイレクト方法。
【請求項１９】
前記他の基地局の情報は、基地局のチャンネル周波数をさらに含み、
前記サービスをサポートする基地局の中で前記目標基地局を決定することは、
前記端末によってサポートされるチャンネル周波数と一致するチャンネル周波数を有する基地局を前記目標基地局として決定することを含む、
請求項１７に記載のリダイレクト方法。
【請求項２０】
端末によって要求されたサービスの情報を含むメッセージをフェムト・アクセス・ポイント（ＦＡＰ）に送信するように構成されるサービス情報送信モジュールと、ここで、前記サービスは、緊急サービス（ＥＳ）であり、
前記ＦＡＰによって送信された他の基地局の情報を受信するように構成され、前記ＦＡＰ自身が前記サービスをサポートしないことを前記ＦＡＰが決定するとき、前記他の基地局の情報が前記ＦＡＰによって取得される、基地局情報受信モジュールと、
前記他の基地局の情報に従って前記サービスをサポートする目標基地局を決定するように構成される基地局決定モジュールと、
を備える、端末。
【請求項２１】
前記基地局情報受信モジュールは、更に、基地局の識別子及び対応する基地局が前記サービスをサポートするかどうかを指示する指示情報を受信するように構成され、
前記基地局決定モジュールは、サービス実行基地局決定ユニットと、目標基地局決定ユニットと、を備え、
前記サービス実行基地局決定ユニットは、前記対応する基地局が前記サービスをサポートするかどうかを指示する前記指示情報に従って、前記サービスをサポートする基地局を決定するように構成され、
前記目標基地局決定ユニットは、前記サービスをサポートする前記基地局の中で前記目標基地局を決定するように構成される、
請求項２０に記載の端末。
【請求項２２】
前記目標基地局決定ユニットは、第１の決定ユニット又は第２の決定ユニットを含み、
ｉ）  前記第１の決定ユニットが、前記識別子に対応する基地局の信号強度に従って前記目標基地局を決定するように構成されるか、
又は、
ｉｉ）  前記基地局情報受信モジュールが、更に、前記基地局の前記識別子及び前記基地局によって用いられるチャンネル周波数を受信するように構成され、かつ、
前記第２の決定ユニットが、前記端末によってサポートされるチャンネル周波数に一致するチャンネル周波数を有する基地局を前記目標基地局として決定するように構成される、
請求項２１に記載の端末。
【請求項２３】
フェムト・アクセス・ポイント（ＦＡＰ）と、前記ＦＡＰに通信接続された端末と、を含む通信システムであって、
前記端末は、
前記ＦＡＰにメッセージを送信し、前記メッセージは前記端末によって要求されたサービスの情報を含み、ここで、前記サービスは、緊急サービス（ＥＳ）であり、
前記ＦＡＰによって送信された他の基地局の情報を受信し、前記ＦＡＰ自身が前記サービスをサポートしないことを前記ＦＡＰが決定するとき、前記他の基地局の情報が前記ＦＡＰによって取得され、
前記他の基地局の情報に従って前記サービスをサポートする目標基地局を決定し、前記メッセージを前記目標基地局に送信するように構成される、
通信システム。
【請求項２４】
前記他の基地局の情報は、基地局の識別子及び対応する基地局が前記サービスをサポートするかどうかを指示する指示情報を含み、
前記他の基地局の情報に従って前記サービスをサポートする目標基地局を前記端末によって決定することは、
前記対応する基地局が前記サービスをサポートするかどうかを指示する前記指示情報に従って、前記サービスをサポートする基地局を前記端末によって決定することと、
前記サービスをサポートする前記基地局の中で前記目標基地局を決定することと、
を含む、請求項２３に記載の通信システム。
【請求項２５】
コンピュータに請求項１〜５のいずれか１項に記載の方法を実行させるためのプログラムを格納するコンピュータ読取可能媒体。
【請求項２６】
コンピュータに請求項１６〜１９のいずれか１項に記載の方法を実行させるためのプログラムを格納するコンピュータ読取可能媒体。
【発明の詳細な説明】
【技術分野】
【０００１】
本発明は、通信技術の分野に関し、詳細には、リダイレクト方法、リダイレクト装置、及び通信システムに関する。
【背景技術】
【０００２】
良好なネットワーク・カバレッジ・レート、具体的には、良好な屋内カバレッジレートは、第３世代（３Ｇ）モバイル通信技術を成功に導く重要な要因の１つである。マイクロ波アクセスのための世界相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）技術において、フェムト・アクセス・ポイント（ｆｅｍｔｏ  ａｃｃｅｓｓ  ｐｏｉｎｔ、ＦＡＰ）は、例えば、家屋、事務所、又はユーザの企業の事務所建物内に展開され、ＦＡＰはインターネット・プロトコル（ＩＰ）・ブロードバンドを通じてオペレータのネットワークに接続され、これによって効率的にネットワークの屋内カバレッジを改善する。
【０００３】
現在ＷｉＭＡＸ仕様に適用された解決策において緊急サービス（Ｅｍｅｒｇｅｎｃｙ  Ｓｅｒｖｉｃｅ、 ＥＳ）通信を確保するために、端末レンジング要求（ＲＮＧ−ＲＥＱ）メッセージがサービス指示のために用いられる。例えば、ＥＳを要求している端末にＦＡＰがアクセスサービスを提供するのを可能にするために、ＥＳ指示情報がＲＮＧ−ＲＥＱメッセージに加えられる。ＷｉＭＡＸがＦＡＰのＥＳのサポート能力を無効化又は有効化することができるように、ＦＡＰのＥＳのためのサポート能力は、ＷｉＭＡＸのＦＡＰ管理エンティティによって制御することができる。
【発明の概要】
【発明が解決しようとする課題】
【０００４】
発明者は、本発明を実行する過程において、端末がＦＡＰにサービス、例えばＥＳ要求を開始するとき、端末はＦＡＰがサービスのためのサポート能力を提供できるかどうかを学習できないことを見出した。ＦＡＰがサービスのためのサポート能力を提供できない場合、端末はＦＡＰを再び選択する必要がある。しかし、再び選択されたＦＡＰがサービスのサポート能力を提供できるかどうかが依然として不確実であるので、端末によって要求されたサービスの実行効率は低下する。
【課題を解決するための手段】
【０００５】
本発明の実施形態は、端末が要求されたサービスを実行する効率を改善するためのリダイレクト方法、リダイレクト装置、及び通信システムを提供する。
【０００６】
本発明の一実施形態は、リダイレクト方法を提供する。本方法は以下のステップを含む。
【０００７】
ＦＡＰがメッセージを受信し、このメッセージは、端末によって要求されたサービスの情報を含む。
【０００８】
ＦＡＰがサービスをサポートしないことを決定した後、ＦＡＰはサービスをサポートする基地局（ｂａｓｅ  ｓｔａｔｉｏｎ）（ＢＳ）の情報を取得する。
【０００９】
ＦＡＰは、サービスをサポートする基地局の情報に従って端末が目標基地局を決定できるように、端末に、サービスをサポートする基地局の情報を送信する。
【００１０】
本発明の一実施形態はさらにＦＡＰを提供する。ＦＡＰは、サービス情報受信モジュールと、基地局情報取得モジュールと、基地局情報送信モジュールと、を含む。
【００１１】
サービス情報受信モジュールは、メッセージを受信するように構成され、このメッセージは、端末によって要求されたサービスの情報を含む。
【００１２】
基地局情報取得モジュールは、ＦＡＰがサービスをサポートしないことを決定するとき、サービスをサポートする基地局の情報を取得するように構成される。
【００１３】
基地局情報送信モジュールは、端末が、サービスをサポートする基地局の情報に従って目標基地局を決定できるように、端末に、サービスをサポートする基地局の情報を送信するように構成される。
【００１４】
本発明の一実施形態は、端末をさらに提供する。端末は、サービス情報送信モジュールと、基地局情報受信モジュールと、基地局決定モジュールと、を含む。
【００１５】
サービス情報送信モジュールは、ＦＡＰにメッセージを送信するように構成され、このメッセージは、端末によって要求されたサービスの情報を含む。
【００１６】
基地局情報受信モジュールは、ＦＡＰから送信された基地局の情報を受信するように構成され、基地局の情報は、ＦＡＰがサービスをサポートしないことを決定するとき、ＦＡＰによって取得され、基地局はサービスをサポートする。
【００１７】
基地局決定モジュールは、基地局の情報に従って目標基地局を決定するように構成される。
【００１８】
本発明の一実施形態はさらに、通信システムを提供する。通信システムは、ＦＡＰと、ＦＡＰに通信接続する端末と、を含む。
【００１９】
ＦＡＰは、メッセージを受信するように構成され、このメッセージは、端末によって要求されたサービスの情報を含み、ＦＡＰがサービスをサポートしないことを決定するとき、サービスをサポートする基地局の情報を取得し、端末が、サービスをサポートする基地局の情報に従って目標基地局を決定できるように、端末に、サービスをサポートする基地局の情報を送信するように構成される。
【００２０】
本発明の一実施形態はさらに、ＦＡＰ管理サーバーを提供する。サーバーは、受信モジュールと、照会モジュールと、送信モジュールと、を含む。
【００２１】
受信モジュールは、ＦＡＰから送信されたサービスをサポートする基地局の情報の照会要求を受信するように構成される。
【００２２】
照会モジュールは、照会モジュールに記憶された基地局の情報を照会するように構成され、照会要求を送信するＦＡＰの隣接基地局の情報を取得する。
【００２３】
送信モジュールは、照会要求を送信するＦＡＰに隣接する基地局の情報を送信するように構成される。
【００２４】
本発明によれば、現在端末に接続されているＦＡＰが端末によって要求されたサービスをサポートしないとき、ＦＡＰは端末によって要求されたサービスをサポートする基地局の情報を取得し、端末に、サービスをサポートする基地局の情報を送信する。したがって、端末は、端末によって要求されたサービスをサポートする目標基地局にリダイレクトされ、端末によって要求されたサービスの実行効率が上がる。
【００２５】
本発明の一実施形態はさらにリダイレクト方法を提供し、この方法は、
端末によってフェムト・アクセス・ポイント（ＦＡＰ）に、端末によって要求されたサービスの情報を含むメッセージを送信することと、
ＦＡＰによって送信された他の基地局の情報を端末によって受信することであって、ＦＡＰそれ自身がサービスをサポートしないことをＦＡＰが決定するとき、他の基地局の情報がＦＡＰによって取得される、前記受信することと、
他の基地局の情報に従ってサービスをサポートする目標基地局を端末によって決定して、目標基地局にメッセージを送信することと、
を含む。
【００２６】
本発明の一実施形態は端末をさらに提供し、この端末は、
フェムト・アクセス・ポイント（ＦＡＰ）に、端末によって要求されたサービスの情報を含むメッセージを送信するように構成される送信モジュールと、
ＦＡＰによって送信された他の基地局の情報を受信するように構成され、ＦＡＰ自身がサービスをサポートしないことをＦＡＰが決定するとき、他の基地局の情報がＦＡＰによって取得される、基地局情報受信モジュールと、
他の基地局の情報に従って、サービスをサポートする目標基地局を決定するように構成される基地局決定モジュールと、
を含む。
【００２７】
本発明の一実施形態は通信システムをさらに提供し、この通信システムは、
フェムト・アクセス・ポイント（ＦＡＰ）と、ＦＡＰに通信接続する端末と、を含み、
端末は、ＦＡＰにメッセージを送信し、このメッセージは端末によって要求されたサービスの情報を含み、ＦＡＰによって送信された他の基地局の情報を受信し、ＦＡＰ自身がサービスをサポートしないことをＦＡＰが決定するとき、他の基地局の情報がＦＡＰによって取得され、他の基地局の情報に従ってサービスをサポートする目標基地局を決定して、目標基地局にメッセージを送信するように構成される。
【００２８】
本発明の実施形態において、現在端末に接続されているＦＡＰが端末によって要求されたサービスをサポートしないとき、端末はＦＡＰから他の基地局の情報を取得する。したがって、端末は、端末によって要求されたサービスをサポートする目標基地局にリダイレクトされ、これによって、端末によって要求されたサービスの実行効率が上がる。
【図面の簡単な説明】
【００２９】
本発明又は先行技術の実施形態による技術的解決策をより明瞭に説明するために、実施形態又は先行技術を説明するための添付図面を以下に簡単に紹介する。明らかに、以下の説明における添付図面は本発明のいくつかの実施形態であり、当業者であれば添付図面から創造の努力なしに他の図面を導くことができる。
【００３０】
【図１】図１は、本発明の第１実施形態によるリダイレクト方法の流れ図である。
【図２】図２は、本発明の第２実施形態によるリダイレクト方法の流れ図である。
【図３】図３は、本発明の一実施形態による適応シナリオにおけるＷｉＭＡＸネットワークの概略構造図である。
【図４】図４は、本発明の第３実施形態によるリダイレクト方法における信号の相互作用図である。
【図５】図５は、本発明の第７実施形態によるリダイレクト方法における信号の相互作用図である。
【図６】図６は、本発明の第１１実施形態によるＦＡＰの概略構造図である。
【図７】図７は、本発明の第１２実施形態による端末の概略構造図である。
【図８】図８は、本発明の第１３実施形態による通信システムの概略構造図である。
【図９】図９は、本発明の第１４実施形態によるＦＡＰ管理サーバーの概略構造図である。
【図１０】図１０は、本発明の第１５実施形態によるリダイレクト方法の流れ図である。
【図１１】図１１は、本発明の第１６実施形態によるリダイレクト方法の流れ図である。
【図１２】図１２は、本発明の第１７実施形態によるリダイレクト方法における信号の相互作用図である。
【図１３】図１３は、本発明の第２０実施形態によるリダイレクト方法における信号の相互作用図である。
【図１４】図１４は、本発明の第２３実施形態による端末の概略構造図である。
【図１５】図１５は、本発明の第２４実施形態による通信システムの概略構造図である。
【発明を実施するための形態】
【００３１】
本発明の技術的解決策は、本発明の添付図面を参照して以下に明瞭かつ完全に説明される。説明される実施形態は本発明の全ての実施形態ではなく一部であるのは明らかである。本発明の実施形態に基づいて当業者によって創造の努力なしに得られる他の全ての実施形態は、本発明の保護範囲に包含される。
【００３２】
＜第１実施形態１＞
図１は、本発明の第１実施形態によるリダイレクト方法の流れ図である。この実施形態において、実施主体は、現在端末に接続されているフェムト基地局（ＦＡＰ、ＦＡＰ、ＦＡＰとも呼ばれる）とし得る。図１に示すように、実施形態によるリダイレクト方法は以下のステップを含む。
【００３３】
ステップ１１において、ＦＡＰはメッセージを受信し、このメッセージは端末によって要求されたサービスの情報を含む。
【００３４】
端末がネットワークにアクセスする必要がある場合、ＦＡＰはネットワーク・アクセス・サービスを提供し得る。端末が特定の或るＦＡＰに接続されるとき、端末はＦＡＰにメッセージを送信し、このメッセージは端末によって要求されたサービスの情報を含む。端末によって要求される情報は、例えば、端末によって要求されるＥＳの指示情報、ロケーション更新（ｌｏｃａｔｉｏｎ  ｕｐｄａｔｅ、ＬＵ）サービス、又は端末によって要求されるリエントリー（ｒｅ−ｅｎｔｒｙ）サービスを含み得る。
【００３５】
ステップ１２において、ＦＡＰがサービスをサポートしないことを決定した後、ＦＡＰはサービスをサポートする基地局の情報を取得する。
【００３６】
ＦＡＰは、ＦＡＰが端末によって要求されたサービスの情報に従ってサービスをサポートするかどうかを決定する。ＦＡＰがサービスをサポートする場合、ＦＡＰは端末にサービスのネットワーク・アクセス・サービスを提供し、ＦＡＰがサービスをサポートしない場合、サービスをサポートする基地局に端末をリダイレクトするために、ＦＡＰはサービスをサポートする基地局の情報を取得する。
【００３７】
サービスをサポートする基地局は、ＦＡＰに隣接するマクロ基地局（Macro Base Station、ＭＢＳ）、及び／又はＦＡＰに隣接してサービスをサポートするＦＡＰを含み得る。
【００３８】
サービスをサポートする基地局の情報を取得するモードは制限されない。例えば、ＦＡＰは、サービスをサポートする基地局の情報をＦＡＰ管理サーバーから得てもよい。代替として、隣接する基地局の能力情報は、ネットワーク展開過程においてＦＡＰに予め構成してもよく、サービスをサポートする基地局の情報は、隣接基地局の能力情報に従って決定される。
【００３９】
ステップ１３において、端末が基地局の情報に従って目標基地局を決定できるように、ＦＡＰはサービスをサポートする基地局の情報を端末に送信する。
【００４０】
ＦＡＰは、端末によって要求されたサービスをサポートする基地局の情報を端末へ送信する。端末は予め設定された基地局選択ストラテジーに従って、受信した基地局の情報に基づいて目標基地局を決定して、端末によって要求されたサービスの情報を含むメッセージを目標基地局に送信し得る。端末が要求されたサービスを実行できるように、目標基地局は端末にネットワーク・アクセス・サービスを提供する。
【００４１】
この実施形態において、現在端末に接続されているＦＡＰが端末によって要求されたサービスをサポートしないとき、ＦＡＰは端末によって要求されたサービスをサポートする基地局の情報を取得し、基地局の情報を端末に送信するので、端末は、端末によって要求されたサービスをサポートする目標基地局を正しく選択することができる。したがって、端末は、端末によって要求されたサービスをサポートする目標基地局にリダイレクトされ、端末によって要求されたサービスを実行する効率が上がる。
【００４２】
＜第２実施形態＞
図２は、本発明の第２実施形態によるリダイレクト方法の流れ図である。この実施形態において、実施主体は端末とし得る。図２に示すように、実施形態によるリダイレクト方法は以下のステップを含む。
【００４３】
ステップ２１において、端末はメッセージをＦＡＰに送信し、このメッセージは端末によって要求されたサービスの情報を含む。
【００４４】
端末は、ＦＡＰがネットワーク・アクセス・サービスを端末のために提供することを要求するために、現在端末に接続されているＦＡＰに、端末によって要求されたサービスの情報を送信する。端末によって要求されたサービスの情報は、例えば、端末によって要求されたＥＳの指示情報、又は、ＬＵサービスの指示情報、又は端末によって要求されたリエントリーサービスを含み得る。
【００４５】
ステップ２２において、ＦＡＰから送信された基地局の情報を受信し、この基地局の情報は、ＦＡＰがサービスをサポートせず、基地局が端末によって要求されたサービスをサポートすることを決定するときに、取得される。
【００４６】
端末によって要求されたサービスの情報が受信されるとき、ＦＡＰは、ＦＡＰがサービスをサポートするかどうかを決定する。ＦＡＰがサービスをサポートする場合、ＦＡＰは端末のためのネットワーク・アクセス・サービスを提供し、ＦＡＰがサービスをサポートしない場合、ＦＡＰはサービスをサポートする基地局の情報を取得し、基地局の情報を端末に送信する。
【００４７】
端末によって受信された基地局の情報は、基地局の識別子、又は基地局の識別子及び基地局によって用いられるチャンネル周波数を含み得る。基地局は、ＦＡＰに隣接するＭＢＳ、及び／又は要求されたサービスをサポートしＦＡＰに隣接するＦＡＰを含み得る。
【００４８】
ステップ２３において、基地局の情報に従って目標基地局を決定する。
【００４９】
端末は、目標基地局にメッセージを送信し得て、このメッセージは端末によって要求されたサービスの情報を含む。
【００５０】
端末は、予め設定された基地局選択ストラテジーに従って、受信した基地局の情報に基づいて目標基地局を決定し得る。基地局選択ストラテジーは、実際の要求に従って柔軟に設定してもよい。例えば、端末は、信号強度に従って最高信号強度を備える基地局を目標基地局として選択してもよい。代替として、端末は、端末によってサポートされるチャンネル周波数に一致するチャンネル周波数を備える基地局を目標基地局として選択してもよい。
【００５１】
目標基地局を決定した後、端末はメッセージを目標基地局に送信し、このメッセージは端末によって要求されたサービスの情報を含む。端末が要求されたサービスを実行できるように、目標基地局は、端末のためのネットワーク・アクセス・サービスを提供する。
【００５２】
この実施形態において、現在端末に接続されているＦＡＰが端末によって要求されたサービスをサポートしないとき、端末は、端末によって要求されたサービスをサポートする基地局についてのＦＡＰによって取得された情報を受信することができるので、端末は、端末によって要求されたサービスをサポートする目標基地局を正しく選択することができる。したがって、目標基地局の選択における盲目性が低減され、その結果、端末によって要求されたサービスの実行効率が改善される。
【００５３】
図３は、本発明の一実施形態による適応シナリオにおけるＷｉＭＡＸネットワークの概略構造図である。図３に示すように、フェムト・アクセス・サービス・ネットワーク（フェムトＡＳＮ）は、ＦＡＰ、セキュリティゲートウェイ（ＳｅＧＷ）、及びフェムトゲートウェイ（フェムトＧＷ）を含む。
【００５４】
モバイルステーション（ＭＳ、モバイル端末とも呼ばれる）は、ＦＡＰに接続し得て、ＭＳによって要求されたサービスの情報を提供する。ＭＳは端末の一種である。
【００５５】
ＦＡＰは、ＭＳにネットワーク・アクセス・サービスを提供する。
【００５６】
ＳｅＧＷは、セキュリティ目的の機能エンティティとして、ＦＡＰのためのセキュリティ保護がされたトンネルを提供し、ＦＡＰの認証と許可に責任を持つ。
【００５７】
フェムトＧＷは、ＦＡＰを制御し、ユーザのデータを共通サービスネットワーク（ｃｏｍｍｏｎ  ｓｅｒｖｉｃｅｓ  ｎｅｔｗｏｒｋ、ＣＳＮ）に伝送する責任がある。
【００５８】
ＦＡＰのサービス範囲は、ＭＢＳに比較して相対的に小さく、十メートル〜数百メートルの範囲内である。ＦＡＰは、家屋、事務所、ユーザの企業の事務所建物の中で展開することができ、ＩＰブロードバンドを経由してオペレータネットワークに接続し得る。ＦＡＰは以下の３種類を含むことができる。
【００５９】
オープンＦＡＰ：オープンＦＡＰにおいて、加入者グループ機能は設定されず、ユーザはＦＡＰ上で管理されない。
【００６０】
オープン加入者グループ（Ｏｐｅｎ  Ｓｕｂｓｃｒｉｂｅｒ  Ｇｒｏｕｐ、ＯＳＧ）：ＯＳＧ  ＦＡＰにおいて、加入者グループ機能を設定することができるが、ＦＡＰはビジターの端末がそのＯＳＧに所属するかどうかを決定しない。
【００６１】
クローズ加入者グループ（Ｃｌｏｓｅ  Ｓｕｂｓｃｒｉｂｅｒ  Ｇｒｏｕｐ、ＣＳＧ）：ＣＳＧ  ＦＡＰにおいて、加入者グループ機能を設定することができ、ＦＡＰはビジター端末がそのＣＳＧに所属するかどうかを決定する必要がある。端末がそのＣＳＧに所属しない場合、ＦＡＰは端末のためのアクセスサービスの提供を拒絶する。非ＥＳ、例えば、通常ＬＵサービス又はリエントリーサービスに関しては、一般にＣＳＧに所属する端末だけがＦＡＰを経由してネットワークに接続することができる。
【００６２】
図３に示すように、ＷｉＭＡＸネットワークにおいて、ＮＳＰなどの従来の商業団体を基盤として新規の商業団体のフェムト・ネットワーク・サービス・プロバイダ（フェムトＮＳＰ）が導入される。フェムトＮＳＰは、ＦＡＰの運用、認証、及び管理に責任を有する。例えば、ＦＡＰ管理サーバー（ＦＡＰＭｇｍ、ＦＡＰ管理機能エンティティとも呼ばれる）は、ＦＡＰの管理に責任を有する。ＦＡＰの情報及びＭＢＳの情報は、ＦＡＰ管理サーバー上で維持することができる。
【００６３】
＜第３実施形態＞
図４は、本発明の第３実施形態によるリダイレクト方法における信号相互作用図である。この実施形態において、図３に示す適応シナリオにおけるＥＳの処理が実施例として取り上げられる。この実施形態において、ＭＳによって要求されるサービスはＥＳであり、現在ＭＳに接続されているＦＡＰはＦＡＰ１であり、ＦＡＰ２及びＦＡＰ３は、別個にＦＡＰ１に隣接するＦＡＰであり、ＦＡＰ管理サーバーはこれらのＦＡＰを管理し、ＦＡＰのＥＳのためのサポート能力を有効化又は無効化できると仮定する。図４に示すように、実施形態によるリダイレクト方法は以下のステップを含む。
【００６４】
ステップ４１において、ＭＳがＥＳを開始したいとき、又はＭＳがオリジナルのセルからＦＡＰにカバーされるセルへハンドオーバしたいとき、ＭＳはサービスＦＡＰ、例えばＦＡＰ１を選択する。この場合、ＭＳはＦＡＰ１がＥＳをサポートするかどうかを知らない。
【００６５】
ＭＳにスイッチが入って起動されるときに、選択されたサービスＦＡＰを経由してＥＳ、例えば、緊急コールサービスを開始したい場合、又はＥＳを実行するＭＳがＦＡＰにハンドオーバする必要がある場合、ＭＳは予め設定された基地局の選択ストラテジーに従ってＦＡＰを選択し、この選択されたＦＡＰはＦＡＰ１である。この場合、ＭＳはＦＡＰ１がＥＳをサポートするかどうかを決定できない。
【００６６】
ステップ４２において、ＭＳはＲＮＧ−ＲＥＱメッセージをＦＡＰ１に送信し、このＲＮＧ−ＲＥＱメッセージはＥＳ指示情報を運ぶ。
【００６７】
ステップ４３において、ＦＡＰ１は、隣接するＦＡＰのＥＳサポート能力の情報を照会する（問い合わせる）（query）ために、ＥＳ能力をサポートするアクセスポイント情報の照会要求をＦＡＰ管理サーバーに送信し、このＦＡＰ１の隣接ＦＡＰはＦＡＰ１の周辺に展開されたＦＡＰである。
【００６８】
ＦＡＰ１が、ＭＳから送信されたＲＮＧ−ＲＥＱメッセージを受信し、ＲＮＧ−ＲＥＱメッセージがＥＳ指示情報を運ぶので、ＦＡＰ１は、ＭＳによって要求されたサービスがＥＳであることを学習する。
【００６９】
ＦＡＰ１は、ＦＡＰ１がＥＳをサポートするかどうかを決定する。ＦＡＰ１がＥＳをサポートする場合、ＦＡＰ１はＭＳのためのネットワーク・アクセス・サービスを提供し、ＭＳにレンジング応答（ＲＮＧ−ＲＳＰ）メッセージを送信し、このＲＮＧ−ＲＥＱメッセージはＭＳアクセスを受諾する指示情報を運ぶ。
【００７０】
ＦＡＰ１がＥＳサポート能力を持たない場合、現在ＦＡＰ１はＥＳをサポートしない。代替として、ＦＡＰ１はＥＳサポート能力を有するが、このＦＡＰ１のＥＳサポート能力がＦＡＰ管理サーバーの制御の下で無効化される場合、ＦＡＰ１は、またＥＳをサポートしない。ＦＡＰ１がＥＳをサポートしないことを決定した後、ＦＡＰ１は、ＥＳをサポートする基地局の情報を取得する必要がある。
【００７１】
ＦＡＰ１は、隣接するＦＡＰのＥＳサポート能力の情報を照会するために、ＥＳ能力をサポートするアクセスポイントの情報の照会要求をＦＡＰ管理サーバーに送信し得る。
【００７２】
ＦＡＰ管理サーバーは、ＦＡＰの情報を維持する。ＦＡＰの情報は、ＦＡＰの識別子及びＦＡＰのＥＳサポート能力の情報を含む。ＦＡＰの情報は、ＦＡＰのチャンネル周波数、パワー、及び位置（location）のうちの１つ又は複数、ＣＳＧに含まれる端末識別子のリスト、並びにＦＡＰが所属するページンググループの識別子をさらに含んでもよい。
【００７３】
任意選択により、ＦＡＰ管理サーバーは、ＭＢＳの情報をさらに維持してもよい。この場合、ＦＡＰ１はＦＡＰ管理サーバーからＦＡＰ１に隣接するＭＢＳの情報を取得し得る。この状態は図示されない。
【００７４】
ステップ４４において、ＦＡＰ管理サーバーはＦＡＰ１の隣接するＦＡＰを決定し、ＦＡＰ１にＥＳ能力をサポートするアクセスポイントの情報の応答メッセージを送信し、このＥＳ能力をサポートするアクセスポイントの情報の応答メッセージは、隣接するＦＡＰの情報を運ぶ。隣接するＦＡＰの情報は、ＦＡＰの識別子、及びＦＡＰのＥＳサポート能力の情報を含む。任意選択によって、隣接するＦＡＰの情報は、ＦＡＰのチャンネル周波数などの情報をさらに含んでもよい。
【００７５】
この実施形態において、ＦＡＰ１の隣接するＦＡＰは、ＦＡＰ２及びＦＡＰ３を含むことが考えられ、ＦＡＰ管理サーバーは、ＦＡＰ２及びＦＡＰ３の情報をＦＡＰ１に送信する。ＦＡＰ管理サーバーによってＦＡＰ１に送信された情報は、ＦＡＰ２の識別子、ＦＡＰ２のＥＳサポート能力の情報、ＦＡＰ３の識別子、及びＦＡＰ３のＥＳサポート能力の情報を含む。任意選択によって、ＦＡＰ管理サーバーによってＦＡＰ１に送信された情報は、ＦＡＰ２のチャンネル周波数及びＦＡＰ３のチャンネル周波数などの情報をさらに含んでもよい。
【００７６】
任意選択によって、ＦＡＰ管理サーバーがＭＢＳの情報を維持する場合、ＦＡＰ管理サーバーは、ＦＡＰ１に隣接するＭＢＳの情報をＦＡＰ１に送信する。
【００７７】
ステップ４５において、ＦＡＰ１は、ＥＳ能力をサポートするアクセスポイントの情報の応答メッセージを受信し、メッセージから隣接ＦＡＰの情報を取得し、隣接ＦＡＰのＥＳサポート能力の情報に従って、ＥＳをサポートする基地局を決定する。この実施形態において、ＦＡＰ１によって決定されたＥＳをサポートする基地局は、ＥＳをサポートするＦＡＰ２及び／又はＦＡＰ３、及び／又はＦＡＰ１に隣接するＭＢＳ（図示せず）を含み得る。
【００７８】
ステップ４６において、ＦＡＰ１は、ＭＳにＲＮＧ−ＲＳＰメッセージを送信し、このＲＮＧ−ＲＳＰメッセージは、ＥＳをサポートするＦＡＰ２及び／又はＦＡＰ３の識別子を運ぶ。任意選択によって、ＲＮＧ−ＲＳＰメッセージは、ＥＳをサポートするＦＡＰ２及び／又はＦＡＰ３に用いられるチャンネル周波数をさらに含んでもよい。
【００７９】
任意選択によって、ＦＡＰ１によって決定されたＥＳをサポートする基地局がＦＡＰ１に隣接するＭＢＳを含む場合、ＦＡＰ１は、ＭＢＳの識別子をＭＳに送信する。任意選択によって、ＦＡＰ１はＭＢＳによって用いられたチャンネル周波数をＭＳにさらに送信してもよい。代替として、ＭＢＳの識別子又はＭＢＳの識別子及びＭＢＳによって用いられたチャンネル周波数をＲＮＧ−ＲＳＰメッセージ中で運び、ＭＳに送信してもよい。
【００８０】
ステップ４７において、ＭＳは、受信した基地局の情報に従って目標基地局を決定し、ＥＳ指示情報を目標基地局に送信する。ＭＳが目標基地局を経由してＥＳを実行するよう、目標基地局がＭＳにネットワーク・アクセス・サービスを提供する。図４は、ＭＳが目標基地局としてＦＡＰ２を決定する状況だけを概略的に示す。
【００８１】
ＭＳは、ＦＡＰ１から送信された基地局の情報を受信し、予め設定された基地局の選択ストラテジーを用いて目標基地局を決定する。
【００８２】
ＦＡＰ２及びＦＡＰ３は、両方ともＥＳをサポートすると仮定する。ＭＳが目標基地局を決定するモードは制限されない。
【００８３】
第２のＦＡＰの情報は、ＦＡＰ２及びＦＡＰ３の識別子を含み得る。ＭＳは、ＦＡＰの信号強度を用いて目標基地局を決定し得る。例えば、ＭＳによって受信されたＦＡＰ２の信号の強度がＭＳによって受信したＦＡＰ３の信号の強度よりも大きい場合、ＭＳは、目標基地局としてＦＡＰ２を選択し、ＦＡＰ２にリダイレクトプロセスを開始し、ＥＳを実現するために、ＦＡＰ２を経由してＭＳにネットワーク・アクセス・サービスを提供し得る。
【００８４】
代替として、第２のＦＡＰの情報は、ＦＡＰ２の識別子、ＦＡＰ３の識別子、ＦＡＰ２によって用いられるチャンネル周波数、及びＦＡＰ３によって用いられるチャンネル周波数を含み得る。ＭＳは、ＦＡＰによって用いられるチャンネル周波数を用いて目標基地局を決定し得る。例えば、ＭＳは、それ自身のチャンネル周波数を、ＦＡＰ２及びＦＡＰ３によって用いられるチャンネル周波数各々と比較し、ＭＳによって用いられる周波数と一致するチャンネル周波数を有するＦＡＰを決定する。ＦＡＰ２に用いられるチャンネル周波数はＭＳに用いられる周波数を含むと仮定すると、ＦＡＰ２によって用いられるチャンネル周波数は、ＭＳによって用いられる周波数に一致し、ＭＳは、目標基地局としてＦＡＰ２を選択する。
【００８５】
上記はこの実施形態においてＭＳが目標基地局を決定するモードの一実施例に過ぎず、ＭＳは実際の要求に従って他のモードを用いて目標基地局を決定してもよい。例えば、目標基地局は信号強度及びＦＡＰのワーク周波数の組み合わせを考慮して決定される。
【００８６】
この実施形態において、現在ＭＳに接続されているＦＡＰがＥＳをサポートしないとき、ＦＡＰはＦＡＰ管理サーバーから隣接する基地局の情報を取得し、取得した隣接基地局からＥＳをサポートする基地局の情報を決定し、ＥＳをサポートする基地局の情報をＭＳに送信し、ＥＳをサポートする基地局にＭＳを案内し、これによってＭＳによる目標基地局の選択における盲目性を低減し、ＥＳを実行するＭＳの効率が上がる。
【００８７】
さらに、ＦＡＰ１がＥＳをサポートする基地局の情報を取得する異なるモードに応じて、実施形態による上記技術的解決策の技術的特徴の一部が、本発明のいくつかの実施形態の変形形態を得るために、置き換えてもよく、詳細は第４実施形態、第５実施形態、及び第６実施形態の説明を参照することができる。
【００８８】
＜第４実施形態＞
本発明のリダイレクト方法の他の実施形態として、この実施形態は、以下において第３実施形態とは異なる。
【００８９】
ステップ４３において、ＦＡＰ１は、ＥＳをサポートする隣接ＦＡＰの情報を照会するメッセージをＦＡＰ管理サーバーに送信する。
【００９０】
ステップ４４において、ＦＡＰ管理サーバーは、ＥＳをサポートする隣接ＦＡＰを決定し、ＥＳをサポートする隣接ＦＡＰの情報をＦＡＰ１に送信するが、ＥＳをサポートしない隣接ＦＡＰの情報はＦＡＰ１に送信されない。
【００９１】
この場合、ＦＡＰ１は、受信した隣接ＦＡＰの情報でＥＳをサポートするＦＡＰを決定する必要はない。すなわち、ステップ４６はステップ４５なしに直接実行される。他の処理プロセスは、第３実施形態と類似しており、したがって、ここでは再度説明されない。
【００９２】
この実施形態において、現在ＭＳに接続されているＦＡＰがＥＳをサポートしないとき、ＦＡＰはＦＡＰ管理サーバーからＥＳをサポートする他のＦＡＰの情報を取得し、ＥＳをサポートするＦＡＰにＭＳを案内するために、ＥＳをサポートするＦＡＰの情報をＭＳに送信するので、ＭＳはＥＳをサポートする目標基地局を正しく選択することができる。したがって、リダイレクトプロセスにおける目標基地局の選択の盲目性が低減され、したがって、ＭＳによるＥＳの実行効率が上がる。
【００９３】
＜第５実施形態＞
本発明のリダイレクト方法の他の実施形態として、この実施形態は以下において第３実施形態とは異なる。この実施形態において、ＷｉＭＡＸ  ＦＡＰの展開プロセスにおいて、展開されるＦＡＰに隣接するＦＡＰの情報をＦＡＰ上に予め構成し得て、このＦＡＰの情報は、ＦＡＰの識別子、及びＦＡＰのＥＳサポート能力の情報を含む。このＦＡＰの情報は、ＦＡＰのチャンネル周波数、パワー及び位置、ＣＳＧに含まれる端末の識別子のリスト、並びにＦＡＰの所属するページンググループの識別子のうちの１つ又は複数をさらに含んでもよい。
【００９４】
この実施形態において、ステップ４３及び４４は実行する必要はなく、ステップ４５は、具体的には、ＦＡＰ１が、隣接ＦＡＰの予め構成された情報に従ってＥＳをサポートする隣接ＦＡＰを決定する。他の処理プロセスは第３実施形態と類似しており、したがって、ここでは再度説明されない。
【００９５】
この実施形態において、隣接ＦＡＰのＥＳサポート能力が変化する場合、例えば、ＦＡＰ３がネットワーク展開中にＥＳをサポートするが、後続の適応プロセスにおいてＦＡＰ管理サーバーがＦＡＰ３のＥＳサポート能力を無効化し、ＦＡＰ３のＥＳサポート能力が変更される場合、ＦＡＰ１は、隣接ＦＡＰの予め構成された情報を更新し得る。隣接ＦＡＰの情報の更新モードは制限されない。例えば、ネットワーク管理者がＦＡＰ１上の隣接ＦＡＰの情報を手動で更新してもよい。代替として、ＥＳサポート能力が変更されているＦＡＰが、隣接ＦＡＰに能動的に通知してもよいので、隣接ＦＡＰが隣接ＦＡＰ上に構成された情報を更新できる。
【００９６】
この実施形態において、現在ＭＳに接続されているＦＡＰがＥＳをサポートしないとき、ＦＡＰは、予め構成された隣接ＦＡＰの情報に従ってＥＳをサポートする他のＦＡＰの情報を決定し、ＥＳをサポートするＦＡＰの情報をＭＳに送信し、ＥＳをサポートするＦＡＰにＭＳを案内するので、ＭＳはＥＳをサポートする目標基地局を正しく選択することができる。したがって、リダイレクトプロセスにおける目標基地局の選択の盲目性が低減され、したがって、ＭＳによるＥＳの実行効率が上がる。
【００９７】
＜第６実施形態＞
本発明のリダイレクト方法の他の実施形態として、この実施形態において、ＦＡＰ１がＦＡＰ１に隣接するＭＢＳの情報をさらに取得できる点で、この実施形態は第３実施形態とは異なる。この場合以下が含まれる。
【００９８】
ステップ４６において、ＭＳに送信されたＲＥＱ−ＲＳＰメッセージは、取得したＭＢＳの情報をさらに運ぶ。他の処理プロセスは第３実施形態と類似しており、したがって、ここでは再度説明されない。
【００９９】
ＦＡＰ１がＭＢＳの情報を取得するモードは制限されず、例えば、以下を含むことができる。
【０１００】
ＦＡＰ１は、能動的なスキャニングによってＦＡＰ１の周辺に展開されたＭＢＳの情報を取得し得、具体的には、以下のステップが含まれる。ＦＡＰ１は、スキャン要求をブロードキャストする。スキャン要求を受信するＭＢＳは、スキャン応答をＦＡＰ１にフィードバックする。ＦＡＰ１は、スキャン応答に従って対応するＭＢＳの情報を取得する。
【０１０１】
代替として、ＦＡＰ１は、ＦＡＰ１によって受信したセルのブロードキャストメッセージを経由してＦＡＰ１の周辺に展開されたＭＢＳを決定してもよい。ＦＡＰ１がＭＢＳのカバレッジ内にある場合、ＦＡＰは、ＭＢＳによって送信されたセルのブロードキャストメッセージを受信することができ、これによって対応するＭＢＳの情報を取得する。
【０１０２】
代替として、ＦＡＰ管理サーバーはＭＢＳの情報を維持するので、ＦＡＰ管理サーバーは、ＦＡＰ１に隣接する情報をＦＡＰ１に送信することができる。
【０１０３】
この実施形態において、現在ＭＳに接続されているＦＡＰがＥＳをサポートしないとき、ＦＡＰはＦＡＰの周辺に展開されたＭＢＳの情報を取得し得て、取得したＭＢＳの情報をＭＳに送信し、ＭＳをＭＢＳに案内するので、ＭＳはＥＳをサポートする目標基地局を正しく選択することができる。したがって、リダイレクトプロセスにおける目標基地局の選択の盲目性が低減され、したがって、ＭＳによるＥＳの実行効率が上がる。
【０１０４】
＜第７実施形態＞
図５は、本発明の第７実施形態によるリダイレクト方法における信号相互作用図である。この実施形態において、図３に示すように、適応シナリオのアイドルモード中の端末によって開始された非ＥＳの処理プロセスが、実施例として取り上げられる。
【０１０５】
この実施形態において、ＭＳはアイドルモードであると考えられ、ＭＳによって要求されたサービスはＬＵサービス又はリエントリーサービスであり、ＬＵサービス及びリエントリーサービスは両方とも非ＥＳである。現在ＭＳに接続されているＦＡＰはＣＳＧ型のＦＡＰ１であり、ＦＡＰ２及びＦＡＰ３はＦＡＰ１に別個に隣接するＦＡＰであり、ＦＡＰ管理サーバーはＦＡＰを管理し、ＦＡＰの情報を維持する。図５に示すように、この実施形態によるリダイレクト方法は以下のステップを含む。
【０１０６】
ステップ５１において、ＭＳがアイドルモードにあり、ＬＵサービス又はリエントリーサービスを開始する必要があるとき、ＭＳはサービスＦＡＰ、例えば、ＦＡＰ１を選択する。この場合、ＭＳは、それがＦＡＰの加入者グル―プに所属するかどうかを知らない。
【０１０７】
アイドルモードは、ＷｉＭＡＸ仕様において端末のために提供されるパワー節約モードである。パワー節約モード中の端末は、基地局から定期的に情報を受信する必要があり、端末が位置する領域のページンググループが変更される、すなわち、ＬＵサービスの開始を端末が発見するとき、その位置情報をページングコントローラ上で更新する必要がある。代替として、データ移動、すなわち、リエントリーサービスの開始するのを発見するとき、端末はアイドルモードを退出するアクセスポイントを選択する必要がある。
【０１０８】
ＣＳＧ  ＦＡＰは、ユーザのための制御機能を増加することができ、この機能はＣＳＧ  ＦＡＰ上のＣＳＧ情報を管理することによって達成することができる。非ＥＳ、例えばＬＵサービス又はリエントリーサービスに関しては、一般にＣＳＧに所属する端末だけがＦＡＰを経由してネットワークに接続することができる。したがって、ＣＳＧ  ＦＡＰはビジター端末がＣＳＧ  ＦＡＰ自身の加入者グループに所属するかどうかを決定し、これによってビジター端末にネットワーク・アクセス・サービスを提供するかどうかを決定する必要がある。
【０１０９】
しかし、オープンＦＡＰ及びＯＳＧ  ＦＡＰに関しては、一般に、ネットワーク・アクセス・サービスは全てのビジター端末に提供することができる。
【０１１０】
この実施形態において、アイドルモードにおけるＭＳが、非ＥＳ、例えばＬＵサービス又はリエントリーサービスを開始するとき、ＭＳは、ＭＳがＭＳの位置する領域のＦＡＰ加入者グループに所属するかどうかを知らないので、ＭＳは、ＭＳがＦＡＰの加入者グループに所属しないＦＡＰを選択することができ、選択されたＦＡＰにＬＵサービス又はリエントリーサービスを開始する。
【０１１１】
ステップ５２において、ＭＳは、ＦＡＰ１にＲＮＧ−ＲＥＱメッセージを送信し、このＲＮＧ−ＲＥＱメッセージは、非ＥＳの指示情報及びＭＳの識別情報を運ぶ。ＭＳの識別情報は、装置識別子、及びＭＳのメディア・アクセス・コントロール（ＭＡＣ）アドレスなどの情報を含む。
【０１１２】
ＭＳによって開始された非ＥＳがＬＵサービスである場合、非ＥＳの指示情報はＬＵの指示情報である。ＭＳによって開始された非ＥＳがリエントリーサービスである場合、非ＥＳの指示情報は、アイドルモードを出る指示情報である。
【０１１３】
ステップ５３において、ＦＡＰ１は、隣接ＦＡＰのＣＳＧ情報照会を要求するためにＦＡＰ管理サーバーにＣＳＧ情報要求メッセージを送信し、このＦＡＰ１の隣接ＦＡＰは、ＦＡＰ１の周辺に展開されたＦＡＰである。
【０１１４】
ＦＡＰ１は、ＭＳから送信されたＲＮＧ−ＲＥＱメッセージを受信し、ＲＮＧ−ＲＥＱメッセージが非ＥＳの指示情報を運ぶので、ＭＳによって要求されたサービスは、非ＥＳ、例えばＬＵサービス又はリエントリーサービスであることを学習する。
【０１１５】
この実施形態において、ＦＡＰ１は、ＣＳＧ  ＦＡＰであると仮定する。ＦＡＰ１は、ＭＳの識別子情報に従って、ＭＳがＦＡＰ１の加入者グループに所属するかどうかを決定する。例えば、ＦＡＰ１は、装置識別子又はＭＳのＭＡＣアドレスなどのＭＳの識別子情報が加入者グループの端末情報のリストにあるかどうかを決定する。「Ｙｅｓ」である場合、ＭＳはＦＡＰ１の加入者グループに所属し、そうでない場合は、ＭＳはＦＡＰ１の加入者グループに所属しない。
【０１１６】
ＭＳがＦＡＰ１の加入者グループに所属する場合、ＦＡＰ１は、ＭＳにネットワーク・アクセス・サービスを提供し、ＭＳにＲＮＧ−ＲＥＱメッセージを送信し、このＲＮＧ−ＲＥＱメッセージは、ＭＳアクセス受諾の指示情報を運ぶ。
【０１１７】
ＭＳがＦＡＰ１の加入者グループに所属しない場合、ＦＡＰ１は、端末のためのネットワーク・アクセス・サービスの提供を拒絶し、ＭＳのためのネットワーク・アクセス・サービスを提供できる基地局の情報を取得する。
【０１１８】
ＦＡＰ管理サーバーはＦＡＰの情報を維持する。ＦＡＰの情報はＦＡＰの識別子を含む。ＦＡＰはオープンＦＡＰ、ＯＳＧ  ＦＡＰ、及びＣＳＧ  ＦＡＰを含み得る。ＣＳＧ  ＦＡＰに関して、ＦＡＰ管理サーバーは、ＣＳＧ  ＦＡＰのＣＳＧ情報をさらに維持し、ＣＳＧ情報はＣＳＧに含まれる端末識別子のリストとし得る。ＦＡＰの情報は、ＦＡＰのチャンネル周波数、パワー及び位置、ＦＡＰのＥＳサポート能力の情報、並びにＦＡＰが所属するページンググループの識別子のうちの１つ又は複数をさらに含んでもよい。
【０１１９】
任意選択によって、ＦＡＰ管理サーバーは、ＭＢＳの情報をさらに維持してもよい。この場合、ＦＡＰ１は、図５に示すように、ＦＡＰ管理サーバーからＦＡＰ１に隣接するＭＢＳの情報を取得してもよい。
【０１２０】
ステップ５４において、ＦＡＰ管理サーバーは、ＦＡＰ１の隣接ＦＡＰを決定し、ＦＡＰ１にＭＳ  ＣＳＧ情報応答メッセージを送信し、このＭＳ  ＣＳＧ情報応答メッセージは隣接ＦＡＰの情報を運ぶ。隣接ＦＡＰの情報は、ＦＡＰの識別子を含み、ＦＡＰがＣＳＧＦＡＰである場合、ＯＳＧ  ＦＡＰのＣＳＧ情報をさらに含んでもよく、このＣＳＧ情報は、ＣＳＧに含まれる端末識別子のリストとしてもよい。任意選択によって、隣接ＦＡＰの情報はＦＡＰによって用いられるチャンネル周波数などの情報をさらに含んでもよい。
【０１２１】
この実施形態において、ＦＡＰ１の隣接ＦＡＰは、ＦＡＰ２及びＦＡＰ３を含み、ＦＡＰ管理サーバーは、ＦＡＰ２及びＦＡＰ３の情報をＦＡＰ１に送信すると仮定する。ＦＡＰ管理サーバーによってＦＡＰ１に送信された情報は、ＦＡＰ２の識別子及びＦＡＰ３の識別子をさらに含む。ＦＡＰ２及びＦＡＰ３の両方ともがＣＳＧ  ＦＡＰである場合、ＦＡＰ管理サーバーによってＦＡＰ１に送信された情報は、ＦＡＰ２のＣＳＧ情報及びＦＡＰ３のＣＳＧ情報をさらに含む。任意選択によって、ＦＡＰ管理サーバーによってＦＡＰ１に送信された情報は、例えば、ＦＡＰ２のチャンネル周波数及びＦＡＰ３のチャンネル周波数をさらに含んでもよい。
【０１２２】
任意選択によって、ＦＡＰ管理サーバーは、ＭＢＳの情報を維持し、ＦＡＰ管理サーバーは、ＦＡＰ１に隣接するＭＢＳの情報をＦＡＰ１に送信する。
【０１２３】
この実施形態において、ＦＡＰ２及びＦＡＰ３の両方ともがＣＳＧ  ＦＡＰであると仮定する。
【０１２４】
ステップ５５において、ＦＡＰ１は、ＭＳ  ＣＳＧ情報応答メッセージを受信し、メッセージから隣接ＦＡＰの情報を取得し、隣接ＦＡＰのＣＳＧ情報に従ってＣＳＧ情報においてＭＳ識別子情報を含むＦＡＰを決定する。これらのＦＡＰは、ＭＳのＬＵサービス又はリエントリーサービスをサポートする。ＦＡＰ１の隣接ＦＡＰの中で、ＭＳの非ＥＳをサポートするＦＡＰは本発明の実施形態による第３のＦＡＰである。
【０１２５】
この実施形態において、ＭＳの非ＥＳをサポートするＦＡＰ２及び／又はＦＡＰ３、例えば、ＭＳのＬＵサービス又はリエントリーサービスは、第３のＦＡＰである。
【０１２６】
任意選択によって、ＦＡＰ管理サーバーからＦＡＰ１によって取得された基地局の情報が、ＦＡＰ１に隣接するＭＢＳ、ＦＡＰ１に隣接するオープンＦＡＰ、及び／又はＦＡＰ１に隣接するＯＳＧ  ＦＡＰの情報をさらに含む場合、これらの基地局もＭＳのＬＵサービス又はリエントリーサービスをサポートし、すなわち、これらの基地局も本発明の実施形態による第３のＦＡＰの範囲に包含され、ＦＡＰ１は基地局の情報をＭＳに送信する。
【０１２７】
ステップ５６において、ＦＡＰ１は、ＲＮＧ−ＲＳＰメッセージをＭＳに送信し、このＲＮＧ−ＲＳＰメッセージは、第３のＦＡＰの情報、例えば、ＭＳのＬＵサービス又はリエントリーサービスをサポートするＦＡＰ２及び／又はＦＡＰ３の識別子を運ぶ。任意選択によって、ＲＮＧ−ＲＳＰメッセージは、ＬＵサービス又はＭＳのリエントリーサービスをサポートするＦＡＰ２及び／又はＦＡＰ３によって用いられるチャンネル周波数をさらに運んでもよい。
【０１２８】
ステップ５７において、ＭＳは、第３のＦＡＰの情報に従って目標基地局を決定し、ＬＵサービス又はリエントリーサービスの指示情報を目標基地局に送信する。ＭＳが目標基地局を経由してＬＵサービス又はリエントリーサービスを実現できるように、目標基地局は、ＭＳのためのネットワーク・アクセス・サービスを提供する。
【０１２９】
ＭＳは、ＦＡＰ１によって送信されたＦＡＰの情報を受信し、予め設定された基地局選択ストラテジーを用いることによって第３のＦＡＰから目標基地局を決定する。ＭＳが目標基地局を決定するモードは制限されず、その詳細は、第３実施形態のステップ４７を参照することができ、したがって、ここでは再度説明されない。
【０１３０】
この実施形態において、ＭＳが現在ＦＡＰに接続されている加入者グループに所属しないとき、ＦＡＰは、ＦＡＰ管理サーバーから隣接する基地局の情報を取得し、取得した隣接基地局からＬＵサービス又は端末のリエントリーサービスをサポートする基地局を決定し、決定された基地局の情報をＭＳに送信し、ＬＵサービス又は端末のリエントリーサービスをサポートする基地局にＭＳを案内するので、基地局からの目標基地局選択における盲目性が低減され、これによって、アイドルモードのＭＳによるＬＵサービス又はリエントリーサービスの実行効率が上がる。
【０１３１】
加えて、ＦＡＰ１が非ＥＳをサポートする基地局を取得する異なるモードに応じて、この実施形態による上記技術的解決策の技術的特徴の一部を置き換えて本発明の実施形態のいくつかの変形形態を得ることができ、詳細は、第８実施形態、第９実施形態、及び第１０実施形態の説明を参照することができる。
【０１３２】
＜第８実施形態＞
本発明のリダイレクト方法の他の実施形態として、この実施形態は以下において第７実施形態と異なる。
【０１３３】
ステップ５３において、具体的には、ＦＡＰ１は、ＭＳの非ＥＳをサポートする隣接ＦＡＰの情報照会のメッセージをＦＡＰ管理サーバーに送信し、例えば、ＣＳＧ情報の中にＭＳの識別子情報を含む隣接ＦＡＰの情報照会を要求するために、ＦＡＰ１はＭＳの識別子情報をＦＡＰ管理サーバーに送信する。
【０１３４】
ステップ５４において、具体的には、ＦＡＰ管理サーバーはＭＳの非ＥＳをサポートする隣接ＦＡＰを決定し、隣接するＦＡＰの中でＣＳＧの中にＭＳの識別子を含むオープンＦＡＰ、ＯＳＧ  ＦＡＰ、及びＣＳＧ  ＦＡＰの情報をＦＡＰ１に送信する。しかし、ＣＳＧ情報がＭＳ識別子情報を含まないＣＳＧ  ＦＡＰは、ＦＡＰ１には送信されない。
【０１３５】
任意選択によって、ＦＡＰ管理サーバーがＭＢＳの情報を維持する場合、ＦＡＰ管理サーバーは、ＦＡＰ１に隣接するＭＢＳの情報をＦＡＰ１に送信してもよい。
【０１３６】
この場合、ＦＡＰ１は、受信した隣接基地局の情報に従ってＭＳの非ＥＳをサポートするＦＡＰを決定する必要はなく、すなわち、ステップ５６はステップ５５なしに直接実行される。他の処理プロセスは第７実施形態に類似しており、したがって、ここでは詳細は再度説明されない。
【０１３７】
この実施形態において、ＭＳが現在ＦＡＰに接続されている加入者グループに所属しないとき、ＦＡＰは、ＦＡＰ管理サーバーから、ＦＡＰに隣接し且つＬＵサービス又はリエントリーサービスをサポートする基地局の情報を取得し、取得した基地局の情報をＭＳに送信し、ＬＵサービス又は端末のリエントリーサービスをサポートする基地局にＭＳを案内するので、ＭＳによる目標基地局の選択における盲目性が低減され、これによって、アイドルモードのＭＳによるＬＵサービス又はリエントリーサービスの実行効率を改善する。
【０１３８】
＜第９実施形態＞
本発明のリダイレクト方法の他の実施形態として、この実施形態は、以下において第７実施形態とは異なる。この実施形態において、ＷｉＭＡＸの展開プロセスにおいて、展開されるＦＡＰに隣接するＦＡＰの情報は、ＦＡＰ上に予め構成し得る。隣接ＦＡＰの情報は、ＦＡＰの種類及びＦＡＰの識別子を含み、ＦＡＰがＣＳＧ  ＦＡＰである場合、ＣＳＧ  ＦＡＰのＣＳＧ情報をさらに含んでもよい、このＣＳＧ情報は、ＣＳＧに含まれる端末の識別子のリストとしてもよい。ＦＡＰの情報は、例えば、ＦＡＰのチャンネル周波数、パワー及び位置、ＦＡＰのＥＳサポート能力の情報、及びＦＡＰが所属するページンググループの識別子のうちの１つ又は複数をさらに含んでもよい。
【０１３９】
この実施形態において、ＦＡＰ１は、ＦＡＰ管理サーバーからＭＳの非ＥＳをサポートする基地局の情報を照会する必要がなく、すなわち、ステップ５３及び５４は実行する必要がなく、ステップ５５は、具体的には、隣接基地局の予め構成された情報に従って、ＦＡＰ１がＬＵサービス又はリエントリーサービスをサポートする基地局を決定する。他の処理プロセスは第７実施形態に類似しており、したがって、ここでは再度説明されない。
【０１４０】
この実施形態において、隣接ＦＡＰの中のＣＳＧ  ＦＡＰのＣＳＧが変更される場合、ＦＡＰ１は、予め展開された隣接ＦＡＰの情報を更新し得る。ＣＳＧ  ＦＡＰの情報を更新するモードは制限されない。例えば、ネットワーク管理者はＦＡＰ１上のＣＳＧ  ＦＡＰの情報を手動で更新する。代替として、ＣＳＧが更新されているＦＡＰは、能動的に隣接ＦＡＰに通知してもよく、隣接ＦＡＰは、隣接ＦＡＰ上に構成された情報を更新してもよい。
【０１４１】
この実施形態において、ＭＳが現在接続されているＦＡＰの加入者グループに所属しないとき、ＦＡＰは、隣接基地局の予め構成された情報に従ってＭＳのＬＵサービス又はリエントリーサービスをサポートする基地局を決定し、基地局の情報をＭＳに送信し、端末のＬＵサービス又はリエントリーサービスをサポートする目標基地局にＭＳを案内するので、ＭＳによる目標基地局の選択における盲目性が低減され、これによってアイドルモードのＭＳによるＬＵサービス又はリエントリーサービスの実行効率が上がる。
【０１４２】
＜第１０実施形態＞
本発明のリダイレクト方法の他の実施形態として、この実施形態は、この実施形態においてＦＡＰ１がＦＡＰ１に隣接するＭＢＳの情報を取得する点で第７実施形態とは異なる。この場合、ステップ５６において、ＭＳに送信されたＲＥＱ−ＲＳＰメッセージは、さらにＭＢＳの情報を運ぶ。他の処理プロセスは第７実施形態に類似しており、したがって、ここでは再度説明されない。
【０１４３】
ＦＡＰ１によるＭＢＳの情報を取得するモードは制限されず、その詳細は第６実施形態における対応説明を参照することができ、ここで再び説明される。
【０１４４】
この実施形態において、ＭＳが現在ＦＡＰに接続されている加入者グループに所属しないとき、ＦＡＰは、ＦＡＰの周辺に展開されたＭＢＳの情報を取得することができ、取得されたＭＢＳの情報をＭＳに送信し、ＭＳをＭＢＳに案内し、これによってアイドルモードのＭＳによるＬＵサービス又はリエントリーサービスの実行効率が上がる。
【０１４５】
＜第１１実施形態＞
図６は、本発明の第１１実施形態によるＦＡＰの概略構造図である。図６に示すように、この実施形態において、ＦＡＰは、サービス情報受信モジュール６１、基地局情報取得モジュール６２、及び、基地局送信モジュール６３を含む。
【０１４６】
サービス情報受信モジュール６１は、メッセージを受信するように構成され、このメッセージは、端末によって要求されたサービスの情報を含む。
【０１４７】
基地局取得モジュール６２は、ＦＡＰが、端末によって要求されたサービスをサポートしないことをＦＡＰが決定するとき、端末によって要求されたサービスをサポートする基地局の情報を取得するように構成される。
【０１４８】
基地局情報送信モジュール６３は、端末が、サービスをサポートする基地局の情報に従って目標基地局を決定することができるように、サービスをサポートする基地局の情報を端末に送信するように構成される。任意選択によって、基地局情報送信モジュール６３は、具体的には、基地局の識別子を端末に送信するか、又は、基地局の識別子及び基地局のチャンネル周波数を端末に送信するように構成される。
【０１４９】
上記技術的解決策に基づいて、基地局情報取得モジュール６２は、サポート能力決定ユニット６２１、及び基地局情報取得ユニット６２２を含むことができる。基地局の情報取得の異なるモードに応じて、任意選択によって、基地局情報取得ユニット６２２は、第１の取得サブユニット６２２１、第２の取得サブユニット６２２２、及び第３の取得サブユニット６２２３のうちの少なくとも１つを含んでもよい。
【０１５０】
任意選択によって、端末によって要求されたサービスがＥＳである場合は以下の通りである。
【０１５１】
サービス情報受信モジュール６１は、具体的には、メッセージを受信するように構成され、このメッセージは、端末によって要求されたＥＳの情報を含む。
【０１５２】
サポート能力決定ユニット６２１は、ＦＡＰがＥＳサポート能力を持たないか、又はＦＡＰのＥＳサポート能力が無効化されるとき、ＦＡＰがＥＳをサポートしないことを決定するように構成される。
【０１５３】
基地局情報取得ユニット６２２は、サポート能力決定ユニットが、ＦＡＰがＥＳをサポートしないことを決定するとき、ＥＳをサポートする基地局の情報を取得するように構成される。
【０１５４】
基地局の情報取得の異なるモードに応じて、任意選択によって、第１の取得サブユニット６２２１は、ＦＡＰ管理サーバーからＥＳをサポートする基地局の情報を取得するように構成される。第２の取得サブユニット６２２２は、ＦＡＰ管理サーバーからＥＳをサポートする基地局の情報を取得するように構成され、取得した基地局の情報からＥＳをサポートする基地局の情報を決定する。第３の取得サブユニット６２２３は、ローカルに予め構成された隣接基地局の情報に従ってＥＳをサポートする基地局の情報を決定するように構成される。
【０１５５】
ＥＳをサポートする基地局は、ＦＡＰに隣接するＭＢＳ、及び／又は、ＥＳをサポートし且つＦＡＰに隣接するＦＡＰを含む。
【０１５６】
代替として、上記技術的解決策に基づいて、任意選択によって、端末によって要求されるサービスがＬＵサービス又はリエントリーサービスである場合は、以下の通りである。
【０１５７】
サービス情報受信モジュール６１は、具体的には、メッセージを受信するように構成され、このメッセージは、端末によって要求されたＬＵサービス又はリエントリーサービスの情報を含む。
【０１５８】
同様に、サポート能力決定ユニット６２１は、端末がＦＡＰの予め構成された加入者グループに所属しないとき、端末のＬＵサービス又はリエントリーサービスをＦＡＰがサポートしないことを決定するように構成される。基地局情報取得ユニット６２２は、端末のＬＵサービス又はリエントリーサービスをＦＡＰがサポートしないことをサポート能力決定ユニットが決定するとき、端末のＬＵサービス又はリエントリーサービスをサポートする基地局の情報を取得するように構成される。
【０１５９】
基地局の情報を取得する異なるモードに応じて、任意選択によって、第１の取得サブユニット６２２１は、ＦＡＰ管理サーバーから端末のＬＵサービス又はリエントリーサービスをサポートする基地局の情報を取得するように構成される。第２の取得サブユニット６２２２は、ＦＡＰ管理サーバーから基地局の情報を取得するように構成され、取得した基地局の情報から端末のＬＵサービス又はリエントリーサービスをサポートする基地局の情報を決定する。第３の取得サブユニット６２２３は、隣接する基地局の予め構成された情報に従って、端末のＬＵサービス又はリエントリーサービスをサポートする基地局の情報を決定するように構成される。
【０１６０】
任意選択によって、端末のＬＵサービス又はリエントリーサービスをサポートする基地局は、ＦＡＰに隣接するＭＢＳ、ＦＡＰに隣接するオープンＦＡＰ、ＦＡＰに隣接するＯＳＧ  ＦＡＰ、及びＦＡＰに隣接し且つ加入者グループの端末を含むＣＳＧ  ＦＡＰのうちの少なくとも１つを含んでもよい。
【０１６１】
この実施形態において、現在端末に接続されているＦＡＰが端末によって要求されたサービスをサポートしないとき、ＦＡＰは端末によって要求されたサービスをサポートする基地局の情報を取得し、基地局の情報を端末に送信するので、端末は、端末によって要求されたサービスをサポートする目標基地局を正しく選択することができ、これによって端末によって要求されたサービスをサポートする目標基地局に端末をリダイレクトし、端末によって要求されたサービスの実行効率が上がる。この実施形態において、ＦＡＰのワーク機構は、図１、図４、及び図５に対応する実施形態の説明を参照することができ、ここでは再度説明されない。
【０１６２】
＜第１２実施形態＞
図７は、本発明の第１２実施形態による端末の概略構造図である。図７に示すように、この実施形態において、端末はサービス情報送信モジュール７１、基地局情報受信モジュール７２、及び基地局決定モジュール７３を含む。
【０１６３】
サービス情報送信モジュール７１は、メッセージをＦＡＰに送信するように構成され、このメッセージは、端末によって要求されたサービスの情報を含む。
【０１６４】
基地局情報受信モジュール７２は、ＦＡＰから送信されたサービスをサポートする基地局の情報を受信するように構成され、基地局の情報は、ＦＡＰがサービスをサポートしないことをＦＡＰが決定するとき、ＦＡＰによって取得される。
【０１６５】
基地局決定モジュール７３は、サービスをサポートする基地局の情報に従って目標基地局を決定するように構成される。
【０１６６】
上記技術的解決策において、任意選択によって、端末によって要求されるサービスは、ＥＳ、ＬＵサービス、又はリエントリーサービスを含んでもよい。
【０１６７】
上記技術的解決策に基づいて、任意選択によって、基地局決定モジュール７３は、第１の決定ユニット７３１又は第２の決定ユニット７３２を含む。
【０１６８】
基地局情報受信モジュール７２は、具体的には、基地局の識別子を受信するように構成される。同様に、第１の決定ユニット７３１は、識別子に対応する基地局の信号強度に従って目標基地局を決定するように構成される。
【０１６９】
代替として、基地局情報受信モジュール７２は、具体的には、基地局の識別子及び基地局によって用いられるチャンネル周波数を受信するように構成される。同様に、第２の決定ユニット７３２は、端末によってサポートされるチャンネル周波数と一致するチャンネル周波数を有する基地局を目標基地局として決定するように構成される。
【０１７０】
サービス情報送信モジュール７１は、目標基地局へメッセージを送信するように構成することができ、このメッセージは、端末によって要求されたサービスの情報を含む。
【０１７１】
この実施形態において、現在端末に接続されているＦＡＰが、端末によって要求されたサービスをサポートしないとき、端末は、端末によって要求されたサービスをサポートする基地局についてＦＡＰによって取得された情報を受信することができるので、端末は、端末によって要求されたサービスをサポートする目標基地局を正しく選択することができ、目標基地局の選択における盲目性が低減され、これによって端末によって要求されたサービスの実行効率が上がる。この実施形態において端末のワーク機構は第２実施形態、第４実施形態、及び第５実施形態の説明を参照することができ、したがってここでは再度説明されない。
【０１７２】
＜第１３実施形態＞
図８は、本発明の第１３実施形態による通信システムの概略構造図である。図８に示すように、この実施形態において、通信システムはＦＡＰ８１及び互いに通信接続される端末８２を含む。
【０１７３】
ＦＡＰ８１は、メッセージを受信し、このメッセージは端末によって要求されたサービスの情報を含み、ＦＡＰがサービスをサポートしないとＦＡＰが決定するとき、サービスをサポートする基地局の情報を取得し、サービスをサポートする基地局の情報に従って端末が目標基地局を決定できるように、端末に、サービスをサポートする基地局の情報を送信し、目標基地局にメッセージを送信するように構成される。
【０１７４】
端末８２は、メッセージをＦＡＰに送信し、このメッセージは端末によって要求されたサービスの情報を含み、ＦＡＰから送信されたサービスをサポートする基地局の情報を受信し、ＦＡＰがサービスをサポートしないことを決定するとき、サービスをサポートする基地局の情報が取得され、サービスをサポートする基地局の情報に従って目標基地局を決定し、目標基地局にメッセージを送信するように構成される。
【０１７５】
この実施形態において、現在端末に接続されているＦＡＰが端末によって要求されたサービスをサポートしないとき、ＦＡＰは、端末によって要求されたサービスをサポートする基地局の情報を取得し、サービスをサポートする基地局の情報を端末に送信するので、端末は、端末によって要求されたサービスをサポートする目標基地局を正しく選択でき、したがって、端末によって要求されたサービスをサポートする目標基地局へ端末をリダイレクトし、これによって端末によって要求されたサービスの実行効率が上がる。この実施形態において、ＦＡＰの詳細な機能構造は、図６に対応する実施形態の説明を参照することができ、ＦＡＰのワーク機構は、図１、図４、及び図５に対応する実施形態の説明を参照することができ、ここでは再度説明されない。この実施形態において、端末の詳細な機能構造は、図７に対応する実施形態の説明を参照することができ、端末のワーク機構は、図２、図４、及び図５に対応する実施形態の説明を参照することができ、ここでは再度説明されない。
【０１７６】
＜第１４実施形態＞
図９は、本発明の第１４実施形態によるＦＡＰ管理サーバーの概略構造図である。図９に示すように、この実施形態において、ＦＡＰ管理サーバーは、受信モジュール９１、照会モジュール９２、及び送信モジュール９３を含む。
【０１７７】
受信モジュール９１は、ＦＡＰから送信されたサービスをサポートする基地局の情報の照会要求を受信するように構成される。
【０１７８】
照会モジュール９２は、照会モジュール９２に記憶された基地局の情報を照会するように構成され、照会要求を送信するＦＡＰに隣接する基地局の情報を取得する。
【０１７９】
送信モジュール９３は、隣接する基地局の情報を、照会要求を送信するＦＡＰに送信するように構成される。
【０１８０】
この実施形態において、ＦＡＰは、ＦＡＰ管理サーバーからＦＡＰに隣接する基地局の情報を取得することができるので、ＦＡＰが端末によって要求されたサービスをサポートしないとき、ＦＡＰは、端末によって要求されたサービスをサポートする目標基地局に端末をリダイレクトすることができ、これによって、端末によって要求されたサービスの実行効率が上がる。この実施形態において、ＦＡＰ管理サーバーのワーク機構は図４及び図５に対応する実施形態の説明を参照することができ、ここでは再度説明されない。
【０１８１】
＜第１５実施形態＞
図１０は、本発明の第１５実施形態によるリダイレクト方法の流れ図である。この実施形態の実行体は、現在端末に接続されているフェムト基地局（Femto Access Point、略してＦＡＰ）とし得る。図１０に示すように、この実施形態のリダイレクト方法は以下のステップを含む。
【０１８２】
ステップ１０１：ＦＡＰはメッセージを受信し、このメッセージは端末によって要求されたサービスの情報を含む。
【０１８３】
端末がネットワークにアクセスする必要がある場合、ＦＡＰはネットワーク・アクセス・サービスを提供し得る。端末が特定のあるＦＡＰと接続を開始するとき、端末は、ＦＡＰにメッセージを送信し、このメッセージは端末によって要求されたサービスの情報を含む。端末によって要求されたサービスの情報は、端末によって要求された緊急サービスの指示情報、端末によって要求されたロケーション更新サービス、又はリエントリーサービスを含み得る。
【０１８４】
ステップ１０２：ＦＡＰがサービスをサポートしないことを決定するとき、ＦＡＰは他の基地局の情報を取得する。
【０１８５】
ＦＡＰは、端末によって要求されたサービスの情報に従って、ＦＡＰがサービスをサポートするかどうかを判断する。ＦＡＰがサービスをサポートする場合、ＦＡＰは端末にネットワーク・アクセス・サービスを提供し、ＦＡＰがサービスをサポートしない場合、ＦＡＰは他の基地局の情報を取得する。他の基地局の情報は、少なくとも基地局の識別子及び対応する基地局がサービスをサポートするかどうかを指示する指示情報を含み、基地局によって用いられるチャンネル周波数をさらに含む。他の基地局は、ＦＡＰに隣接するマクロ基地局（Ｍａｃｒｏ  Ｂａｓｅ  Ｓｔａｔｉｏｎ、ＭＢＳ）、及び／又はＦＡＰに隣接するＦＡＰを含んでもよい。
【０１８６】
他の基地局の情報を取得する方法は制限されない。例えば、ＦＡＰはＦＡＰ管理サーバーから他の基地局の情報を取得してもよく、代替として、ネットワーク展開中に、他の基地局の情報がＦＡＰ上に予め構成される。
【０１８７】
ステップ１０３：端末が基地局の情報に従って目標基地局を決定できるように、ＦＡＰは他の基地局の情報を端末に送信する。
【０１８８】
ＦＡＰは、他の基地局の情報を端末に送信する。端末は、まず、受信した基地局の情報に含まれる、サービスがサポートされるかどうかを指示する指示情報に従って、サービスをサポートする１つ又は複数の基地局を選択し、さらに目標基地局を決定し得る。目標基地局を選択する方法は、実際の要求に従って柔軟に設定することができる。例えば、端末は、信号強度に従って、最高信号強度を有する基地局を目標基地局として選択してもよい。代替として、端末は、端末によってサポートされるチャンネル周波数に一致するチャンネル周波数を有する基地局を目標基地局として選択してもよい。
【０１８９】
この実施形態において、端末が接続を開始するＦＡＰが端末によって要求されたサービスをサポートしないとき、ＦＡＰは他の基地局の情報を取得し、基地局の情報を端末に送信できるので、端末は、端末によって要求されたサービスをサポートする目標基地局を正しく選択することができる。したがって、端末は、端末によって要求されたサービスをサポートする目標基地局にリダイレクトされ、これによって端末によって要求されたサービスの実行効率が上がる。
【０１９０】
＜第１６実施形態＞
図１１は、本発明の第１６実施形態によるリダイレクト方法の流れ図である。この実施形態の実行体は端末とし得る。図１１に示すように、この実施形態のリダイレクト方法は以下のステップを含む。
【０１９１】
ステップ１１１：端末はメッセージをＦＡＰに送信し、このメッセージは端末によって要求されたサービスの情報を含む。
【０１９２】
端末は、端末によって要求されたサービスの情報を現在選択されているＦＡＰに送信して、ＦＡＰに対してネットワーク・アクセス・サービスを端末に提供するように要求する。端末によって要求されたサービスの情報は、端末によって要求された緊急サービスの指示情報、又は、端末によって要求されたロケーション更新サービス又はリエントリーサービスの指示情報を含み得る。
【０１９３】
ステップ１１２：ＦＡＰによって送信された他の基地局の情報を受信し、ＦＡＰがサービスをサポートしないことを決定するとき、他の基地局の情報はＦＡＰによって取得され、基地局の情報は、少なくとも基地局の識別子及び対応する基地局がサービスをサポートするかどうかを指示するための指示情報を含む。
【０１９４】
端末によって要求された情報を受信するとき、ＦＡＰは、ＦＡＰがサービスをサポートするかどうかを判断する。ＦＡＰがサービスをサポートする場合、ＦＡＰは端末のためのネットワーク・アクセス・サービスを提供し、ＦＡＰがサービスをサポートしない場合、ＦＡＰは他の基地局の情報を取得し、他の基地局の情報を端末に送信する。他の基地局の情報は、少なくとも基地局の識別子及び対応する基地局がサービスをサポートするかどうかを指示する指示情報を含み、基地局によって用いられるチャンネル周波数をさらに含む。他の基地局は、ＦＡＰに隣接するＭＢＳ及び／又はＦＡＰに隣接する近隣のＦＡＰを含み得る。
【０１９５】
ステップ１１３：端末は、受信した他の基地局の情報に含まれる、サービスがサポートされるかどうかを指示する指示情報に従って、サービスをサポートする基地局を決定し、さらに目標基地局を決定する。
【０１９６】
端末は、受信した他の基地局の情報に含まれる、サービスがサポートされるかどうかを指示する指示情報に従って、サービスをサポートする１つ又は複数の基地局をまず選択し、さらに目標基地局を決定し得る。目標基地局を選択する方法は、実際の要求に従って柔軟に設定し得る。例えば、端末は信号強度に従って最大の信号強度を備える基地局を目標基地局として選択してもよい。代替として、端末は端末によってサポートされるチャンネル周波数に一致するチャンネル周波数を有する基地局を目標基地局として選択してもよい。
【０１９７】
目標基地局が決定された後、端末は、目標基地局にメッセージを送信し、このメッセージは、端末によって要求されたサービスの情報を含む。端末が要求されたサービスを実行するよう、目標基地局が端末にネットワーク・アクセス・サービスを提供する。
【０１９８】
この実施形態において、現在端末に接続されているＦＡＰが端末によって要求されたサービスをサポートしないとき、ＦＡＰは、ＦＡＰによって取得された他の基地局の情報を受信することができ、他の基地局の情報は、少なくとも基地局の識別子及び対応する基地局がサービスをサポートするかどうかを指示する指示情報を含むので、端末は、端末によって要求されたサービスをサポートする目標基地局を正しく選択することができる。したがって、ＭＳによる目標基地局の選択における盲目性が低減され、したがって、端末によって要求されたサービスの実行効率が上がる。
【０１９９】
＜第１７実施形態＞
図１２は、本発明の第１７実施形態によるリダイレクト方法における信号の相互作用図である。この実施形態は、適応シナリオにおける緊急サービス処理を実施例として取り上げて説明される。この実施形態において、ＭＳによって要求されるサービスは緊急サービスであり、現在ＭＳに接続されているＦＡＰはＦＡＰ１であり、ＦＡＰ２及びＦＡＰ３は、ＦＡＰ１に隣接するＦＡＰであり、ＦＡＰ管理サーバーは、ＦＡＰを管理し、且つ、ＦＡＰの緊急サービスサポート能力を有効化又は無効化することができると仮定する。図１２に示すように、この実施形態のリダイレクト方法は以下のステップを含む。
【０２００】
ステップ１２１：ＭＳが緊急サービスを開始したいとき、又はＭＳが元のセルからＦＡＰに含まれるセルに緊急サービスをハンドオーバしたいとき、ＭＳは、サービス実行ＦＡＰ、例えばＦＡＰ１を選択する。この場合、ＭＳは、ＦＡＰ１が緊急サービスをサポートするかどうかを知らない。
【０２０１】
スイッチが入ってパワーを上げるとき、ＭＳが緊急サービス、例えば選択されたサービス実行ＦＡＰを経由して緊急ページングサービスを開始したい場合、又は緊急サービスを実行するＭＳがＦＡＰにハンドオーバされる必要がある場合、ＭＳは予め設定された基地局の選択ストラテジーに従ってＦＡＰを選択し、この選択されたＦＡＰはＦＡＰ１である。この場合、ＭＳは、ＦＡＰ１が緊急サービスをサポートするかどうかを決定することはできない。
【０２０２】
ステップ１２２：ＭＳは、レンジング要求（ＲＮＧ−ＲＥＱ）メッセージをＦＡＰ１に送信し、このＲＮＧ−ＲＥＱメッセージは緊急サービス指示情報を運ぶ。
【０２０３】
ステップ１２３：ＦＡＰ１は、隣接ＦＡＰの緊急サービスサポート能力の情報を照会するために、ＥＳ能力をサポートするアクセスポイントの情報照会要求をＦＡＰ管理サーバーに送信する。
【０２０４】
ＦＡＰ１は、ＭＳによって送信されたＲＮＧ−ＲＥＱメッセージを受信する。ＲＮＧ−ＲＥＱメッセージは緊急サービス指示情報を運ぶので、ＦＡＰ１はＭＳによって要求されたサービスが緊急サービスであることを学習する。
【０２０５】
ＦＡＰ１は、ＦＡＰ１が緊急サービスをサポートするかどうかを判断する。ＦＡＰ１が緊急サービスをサポートする場合、ＦＡＰ１はＭＳのためのネットワーク・アクセス・サービスを提供し、レンジング応答（ＲＮＧ−ＲＳＰ）メッセージをＭＳに送信し、このＲＮＧ−ＲＳＰメッセージはＭＳアクセスを受諾する指示情報を運ぶ。
【０２０６】
ＦＡＰ１が緊急サービスサポート能力を持たない場合、ＦＡＰ１は現在緊急サービスをサポートせず、代替として、ＦＡＰ１が緊急サービス能力を有しても、ＦＡＰ管理サーバーの制御下で、ＦＡＰ１の緊急サービスサポート能力は既に無効化され、すなわち、ＦＡＰ１における緊急サービスをサポートする指示識別子が緊急サービスをサポートしない値に設定されて、ＦＡＰ１は緊急サービスをサポートしない。ＦＡＰ１が緊急サービスをサポートしないことを決定した後、ＦＡＰ１は、他の基地局の情報を取得する必要がある。
【０２０７】
ＦＡＰ１は、隣接ＦＡＰの緊急サービスサポート能力の情報を照会するために、ＥＳ能力をサポートするアクセスポイントの情報の照会要求をＦＡＰ管理サーバーに送信することができる。
【０２０８】
ＦＡＰ管理サーバーは、ＦＡＰの情報を維持する。ＦＡＰの情報は、ＦＡＰの識別子及びＦＡＰのＥＳサポート能力の情報を含む。ＦＡＰの情報は、以下の情報の１つ又は複数の部分をさらに含んでもよい。ＦＡＰのチャンネル周波数、パワー及び位置、ＣＳＧに含まれる端末識別子のリスト、並びにＦＡＰが所属するページンググループの識別子。
【０２０９】
任意選択によって、ＦＡＰ管理サーバーはＭＢＳの情報をさらに維持し得る。この場合、ＦＡＰ１はＦＡＰ管理サーバーからＦＡＰ１に隣接するＭＢＳの情報を取得してもよい。この状態は図１２には示されない。
【０２１０】
ステップ１２４：ＦＡＰ管理サーバーは、ＦＡＰ１の隣接ＦＡＰを決定し、ＥＳ能力をサポートするアクセスポイントの情報の応答メッセージをＦＡＰ１に送信し、このＥＳ能力をサポートするアクセスポイントの情報の応答メッセージは、他のＦＡＰの情報を運び、この他のＦＡＰの情報は、少なくともＦＡＰの識別子及び対応する基地局が緊急サービスをサポートするかどうかを指示する指示情報を含む。任意選択によって、隣接ＦＡＰの情報は、ＦＡＰのチャンネル周波数などの情報をさらに含んでもよい。
【０２１１】
他の基地局は、ＦＡＰに隣接するＭＢＳ及び／又はＦＡＰに隣接するＦＡＰとし得る。この実施形態において、ＦＡＰ１の隣接ＦＡＰは、ＦＡＰ２及びＦＡＰ３を含み、ＦＡＰ管理サーバーは、ＦＡＰ２及びＦＡＰ３の情報をＦＡＰ１に送信すると仮定する。ＦＡＰ管理サーバーによってＦＡＰ１に送信された情報は、ＦＡＰ２の識別子、緊急サービスをサポートするＦＡＰ２の指示情報、ＦＡＰ３の識別子、及び緊急サービスをサポートしないＦＡＰ３の指示情報を含む。任意選択によって、ＦＡＰ管理サーバーによってＦＡＰ１に送信された情報は、ＦＡＰ２のチャンネル周波数及びＦＡＰ３のチャンネル周波数などの情報をさらに含んでもよい。
【０２１２】
任意選択によって、ＦＡＰ管理サーバーがＭＢＳの情報を維持する場合、ＦＡＰ管理サーバーはＦＡＰ１に隣接するＭＢＳの情報をＦＡＰ１に送信する。
【０２１３】
ステップ１２５：ＦＡＰ１は、ＥＳ能力をサポートするアクセスポイントの情報の応答メッセージを受信し、このメッセージから隣接ＦＡＰの情報を取得する。
【０２１４】
ステップ１２６：ＦＡＰ１は、ＲＮＧ−ＲＳＰメッセージをＭＳに送信し、このＲＮＧ−ＲＳＰメッセージは、ＦＡＰ２及びＦＡＰ３の識別子、緊急サービスをサポートするＦＡＰ２の指示情報、並びに緊急サービスをサポートしないＦＡＰ３の指示情報を運ぶ。任意選択によって、ＲＮＧ−ＲＳＰメッセージは、緊急サービスをサポートするＦＡＰ２及びＦＡＰ３によって用いられるチャンネル周波数をさらに運んでもよい。
【０２１５】
任意選択によって、ＦＡＰ１は、隣接するＭＢＳの識別子をＭＳに送信する。任意選択によって、ＦＡＰ１は、ＭＢＳによって用いられるチャンネル周波数をＭＳに送信する。ＭＢＳの識別子及びＭＢＳによって用いられるチャンネル周波数は、ＲＮＧ−ＲＳＰメッセージの中で運び、ＭＳに送信し得る。
【０２１６】
ステップ１２７：ＭＳは、目標基地局を決定するために受信した基地局の情報に従って、緊急サービスをサポートする基地局を決定し、緊急サービス指示情報を目標基地局に送信する。ＭＳが目標基地局を経由して緊急サービスを実行するよう、目標基地局がＭＳにネットワーク・アクセス・サービスを提供する。図１２は、ＭＳが目標基地局としてＦＡＰ２を決定する状態を概略的に示す図である。
【０２１７】
ＭＳは、ＦＡＰ１から送信された基地局の情報を受信する。端末は、まず、受信した基地局の情報に含まれる、サービスがサポートされるかどうかを指示する指示情報に従って、サービスをサポートする１つ又は複数の基地局を選択し、さらに目標基地局を決定し得る。目標基地局を選択する方法は、実際の要求に従って柔軟に設定し得る。例えば、端末は信号強度に従って最大信号強度を有する基地局を目標基地局として選択してもよい。代替として、端末は、端末によってサポートされるチャンネル周波数と一致するチャンネル周波数を有する基地局を目標基地局として選択してもよい。目標基地局は、予め設定された基地局選択ストラテジーを用いて決定される。この実施形態において、ＭＳは、まず、ＦＡＰ２が緊急サービスをサポートすることを決定する。１つだけの基地局が緊急サービスをサポートするので、ＦＡＰ２が、目標基地局として決定される。
【０２１８】
この実施形態において、現在ＭＳに接続されているＦＡＰが緊急サービスをサポートしないとき、ＦＡＰは、ＦＡＰ管理サーバーから他の基地局の情報を取得し、他の基地局の情報をＭＳに送信し、緊急サービスをサポートする基地局にＭＳを案内する。したがって、ＭＳによる目標基地局の選択における盲目性が低減され、したがって、ＭＳによる緊急サービスの実行効率が上がる。
【０２１９】
＜第１８実施形態＞
この実施形態は、本発明のリダイレクト方法の他の実施形態である。この実施形態と第１７実施形態の相違は、この実施形態において、ＷｉＭＡＸ  ＦＡＰの展開プロセス中に、ＦＡＰそれ自身以外の他のＦＡＰの情報が、展開されたＦＡＰ上に予め構成し得ることである。ＦＡＰの情報は、ＦＡＰの識別子、及びＦＡＰが緊急サービスをサポートするかどうかを指示する指示情報を含む。ＦＡＰの情報は、以下の情報の１つ又は複数の部分をさらに含み得る。ＦＡＰのチャンネル周波数、パワー及び位置、ＣＳＧに含まれる端末識別子のリスト、並びにＦＡＰが所属するページンググループの識別子。
【０２２０】
この実施形態において、ステップ１２３及びステップ１２４は実行する必要がなく、ステップ１２５は、具体的には、以下の通りである。ＦＡＰ１は、予めの構成に従って他のＦＡＰの情報を取得する。他の処理プロセスは第１７実施形態に類似しており、ここでは再度説明されない。
【０２２１】
この実施形態において、他のＦＡＰの緊急サービスサポート能力が変更される場合、例えば、ＦＡＰ３がネットワーク展開中に緊急サービスをサポートする場合、しかし、後続の適応プロセスにおいて、ＦＡＰ管理サーバーがＦＡＰ３の緊急サービスサポート能力を無効化するので、ＦＡＰ３の緊急サービスサポート能力が変更され、ＦＡＰ１は隣接ＦＡＰの予め展開された情報を更新し得る。隣接するＦＡＰの情報を更新する方法は制限されない。例えば、ネットワーク管理者はＦＡＰ１上の隣接ＦＡＰの情報を手動で更新する。代替として、緊急サービスサポート能力が変更されるＦＡＰは、隣接ＦＡＰを能動的に通知するので、隣接ＦＡＰは隣接ＦＡＰ上に構成された情報を更新することができる。
【０２２２】
この実施形態において、現在ＭＳに接続されているＦＡＰが緊急サービスをサポートしないとき、ＦＡＰは、他のＦＡＰの予め構成された情報をＭＳに送信し、緊急サービスをサポートするＦＡＰにＭＳを案内するので、ＭＳは、緊急サービスをサポートする目標基地局を正しく選択することができる。したがって、リダイレクトプロセスにおける目標基地局選択の盲目性が低減され、したがって、ＭＳによる緊急サービスの実行効率が上がる。
【０２２３】
＜第１９実施形態＞
この実施形態は、本発明のリダイレクト方法の他の実施形態である。この実施形態と第１７実施形態の相違は、この実施形態において、ＦＡＰ１がＦＡＰ１に隣接するＭＢＳの情報を取得できることである。この場合、以下が含まれる。
【０２２４】
ステップ１２６において、ＭＳに送信されたＲＥＱ−ＲＳＰメッセージは、取得したＭＢＳの情報をさらに運ぶ。他の処理プロセスは、第１７実施形態に類似しており、ここでは再度説明されない。
【０２２５】
ＦＡＰ１によるＭＢＳ取得の方法は制限されない。
【０２２６】
例えば、ＦＡＰ１は、能動的なスキャニングによってＦＡＰ１の周辺に展開されたＭＢＳの情報を取得し得て、具体的には、以下のステップが含まれる。ＦＡＰ１はスキャン要求をブロードキャストする。スキャン要求を受信するＭＢＳは、ＦＡＰ１にスキャン応答をフィードバックする。ＦＡＰ１はスキャン応答に従って、対応するＭＢＳの情報を取得する。
【０２２７】
代替として、ＦＡＰ１は、ＦＡＰ１によって受信されたセル・ブロードキャスト・メッセージによってＦＡＰ１の周辺に展開されたＭＢＳを決定してもよい。ＦＡＰ１がＭＢＳの範囲にある場合、ＦＡＰは、ＭＢＳによって送信されたセル・ブロードキャスト・メッセージを受信してもよく、これによって対応するＭＢＳの情報を取得する。
【０２２８】
代替として、ＦＡＰ管理サーバーはＭＢＳの情報を維持し、ＦＡＰ管理サーバーはＦＡＰ１に隣接するＭＢＳの情報をＦＡＰ１に送信してもよい。
【０２２９】
この実施形態において、現在ＭＳに接続されているＦＡＰが緊急サービスをサポートしないとき、ＦＡＰは、ＦＡＰの周辺に展開されたＭＢＳの情報を取得することができ、取得されたＭＢＳの情報をＭＳに送信し、ＭＳをＭＢＳに案内するので、ＭＳは緊急サービスをサポートする目標基地局を正しく選択することができる。したがって、リダイレクトプロセスにおける目標基地局選択の盲目性が低減され、したがって、ＭＳによる緊急サービスの実行効率が上がる。
【０２３０】
＜第２０実施形態＞
図１３は、本発明の第２０実施形態によるリダイレクト方法における信号相互作用の図である。この実施形態は実施例としてアイドルモードの端末によって開始された非緊急サービスの処理プロセスを取り上げて説明される。
【０２３１】
この実施形態において、ＭＳはアイドル（Ｉｄｌｅ）モードにあると考えられ、ＭＳによって要求されたサービスは、ロケーション更新（Ｌｏｃａｔｉｏｎ  Ｕｐｄａｔｅ、ＬＵ）サービス又はリエントリー（Ｒｅ−ｅｎｔｒｙ）サービスであり、ロケーション更新サービス又はリエントリーサービスの両方とも非緊急サービスである。現在ＭＳに接続されているＦＡＰはＣＳＧ型のＦＡＰ１であり、ＦＡＰ２及びＦＡＰ３は、ＦＡＰ１に個別に隣接するＦＡＰであり、ＦＡＰ管理サーバーはＦＡＰを管理し、ＦＡＰの情報を維持する。図１３に示すように、この実施形態のリダイレクト方法は以下のステップを含む。
【０２３２】
ステップ１３１：ＭＳがアイドルモードにあり、ロケーション更新サービス又はリエントリーサービスを開始する必要があるとき、ＭＳは、サービス実行ＦＡＰ、例えばＦＡＰ１を選択する。この場合、ＭＳは、ＭＳがＦＡＰ１の加入者グループに所属するかどうかを知らない。
【０２３３】
アイドルモードは、ＷｉＭＡＸ仕様において端末のために提供されるパワー節約モードである。パワー節約モードにおける端末は、定期的に基地局から情報を受信する必要があり、端末の位置する領域のページンググループが変更されることを端末が発見するとき、すなわち、ロケーション更新サービスを開始するとき、ページングコントローラ上のそれ自身の位置情報を更新する必要がある。代替として、端末は、データ伝送を発見するとき、すなわち、リエントリーサービスを開始するとき、アイドルモードを出るためのアクセスポイントを選択する必要がある。
【０２３４】
ＣＳＧ  ＦＡＰはユーザのための制御機能を増加することができ、この機能は、ＣＳＧ  ＦＡＰ上のＣＳＧ情報の管理によって達成することができる。非緊急サービス、例えばロケーション更新サービス又はリエントリーサービスに関して、一般にＣＳＧに所属する端末だけがＦＡＰを経由してネットワークにアクセスできる。したがって、ＣＳＧ  ＦＡＰは、ビジター端末のためにネットワーク・アクセス・サービスを提供するかどうかを決定するために、ビジター端末がＣＳＧ  ＦＡＰ自身の加入者グループに所属するかどうかを判断する必要がある。
【０２３５】
しかし、オープンＦＡＰ及びＯＳＧ  ＦＡＰに関しては、一般にネットワーク・アクセス・サービスは全てのビジター端末のために提供することができる。
【０２３６】
この実施形態において、アイドルモードにあるＭＳが非緊急サービス、例えば、ロケーション更新サービス又はリエントリーサービスを開始するとき、ＭＳはＭＳの位置する領域のＦＡＰの加入者グループに所属するかどうかを知らないので、ＭＳはＭＳが所属しない加入者グループのＦＡＰを選択し、選択したＦＡＰにロケーション更新サービス又はリエントリーサービスを開始し得る。
【０２３７】
ステップ１３２：ＭＳはレンジング要求（ＲＮＧ−ＲＥＱ）メッセージをＦＡＰ１に送信し、ＲＮＧ−ＲＥＱメッセージは非緊急サービスの指示情報及びＭＳ識別子情報を運ぶ。ＭＳの識別情報は、装置識別子及びＭＳのＭＡＣアドレスなどの情報を含む。
【０２３８】
ＭＳによって開始された非緊急サービスがロケーション更新サービスである場合、非緊急サービスの指示情報はロケーション更新の指示情報である。ＭＳによって開始された非緊急サービスがリエントリーサービスである場合、非緊急サービスの指示情報はアイドルモードから出ることの指示情報である。
【０２３９】
ステップ１３３：ＦＡＰ１は、ＦＡＰ管理サーバーに隣接ＦＡＰのＣＳＧ情報の照会を要求するためにＭＳ  ＣＳＧ情報要求メッセージを送信し、ここで、ＦＡＰ１の隣接ＦＡＰは、ＦＡＰ１の周辺に展開されたＦＡＰである。
【０２４０】
ＦＡＰ１は、ＭＳから送信されたＲＮＧ−ＲＥＱメッセージを受信し、ＲＮＧ−ＲＥＱメッセージは、非緊急サービスの指示情報を運ぶので、ＭＳによって要求されたサービスが非緊急サービス、例えばロケーション更新サービス又はリエントリーサービスであることを学習する。
【０２４１】
この実施形態において、ＦＡＰ１は、ＣＳＧＦＡＰであると仮定する。ＦＡＰ１は、ＭＳの識別子情報に従って、ＭＳがＦＡＰ１の加入者グループに所属するかどうかを決定する。例えば、ＦＡＰ１は、装置識別子又はＭＳのＭＡＣアドレスなどのＭＳの識別子情報が加入者グループの端末情報のリストにあるかどうかを決定する。ＭＳの識別子情報が加入者グループの端末情報のリスト中にある場合、ＭＳは、ＦＡＰ１の加入者グループに所属するが、ＭＳの識別子情報が加入者グループの端末情報のリストにない場合、ＭＳは、ＦＡＰ１の加入者グループに所属しない。
【０２４２】
ＭＳがＦＡＰ１の加入者グループに所属する場合、ＦＡＰ１は、ＭＳのためのネットワーク・アクセス・サービスを提供し、ＭＳにレンジング応答（ＲＮＧ−ＲＳＰ）メッセージを送信し、このＲＮＧ−ＲＳＰメッセージは、ＭＳアクセス受諾の指示情報を運ぶ。
【０２４３】
ＭＳがＦＡＰ１の加入者グループに所属しない場合、ＦＡＰ１は、ＭＳにネットワーク・アクセス・サービスを提供することを拒絶し、ＭＳにネットワーク・アクセス・サービスを提供できる他の基地局の情報を取得する。
【０２４４】
ＦＡＰ管理サーバーは、ＦＡＰの情報を維持する。ＦＡＰの情報はＦＡＰの識別子を含む。ＦＡＰは、オープンＦＡＰ、ＯＳＧ  ＦＡＰ、及びＣＳＧ  ＦＡＰを含み得る。ＣＳＧ  ＦＡＰに関しては、ＦＡＰ管理サーバーはさらに、ＣＳＧ  ＦＡＰのＣＳＧ情報を維持し、このＣＳＧ情報は、ＣＳＧの含まれる端末識別子のリストとし得る。ＦＡＰの情報は、１つ又は複数の部分の以下の情報をさらに含んでもよい。ＦＡＰのチャンネル周波数、パワー及び位置、ＦＡＰの緊急サービスサポート能力の情報、並びにＦＡＰの所属するページンググループの識別子。
【０２４５】
任意選択によって、ＦＡＰ管理サーバーは、ＭＢＳの情報をさらに維持してもよい。この場合、図１３に示すように、ＦＡＰ１は、ＦＡＰ管理サーバーからＦＡＰ１に隣接するＭＢＳの情報を取得してもよい。
【０２４６】
ステップ１３４：ＦＡＰ管理サーバーは、ＦＡＰ１の隣接ＦＡＰを決定し、ＭＳ  ＣＳＧ情報応答メッセージをＦＡＰ１に送信し、このＭＳ  ＣＳＧ情報応答メッセージは、隣接ＦＡＰの情報を運ぶ。隣接ＦＡＰの情報は、ＦＡＰの識別子を含み、ＦＡＰがＣＳＧ  ＦＡＰである場合、ＣＳＧ  ＦＡＰのＣＳＧ情報をさらに含んでもよく、このＣＳＧ情報はＣＳＧに含まれる端末識別子のリストとしてもよい。任意選択によって、隣接ＦＡＰの情報はＦＡＰによって用いられるチャンネル周波数などの情報をさらに含んでもよい。
【０２４７】
他の基地局は、ＦＡＰに隣接するＭＢＳ及び／又はＦＡＰに隣接するＦＡＰとし得る。この実施形態において、ＦＡＰ１に隣接するＦＡＰは、ＦＡＰ２及びＦＡＰ３を含み、ＦＡＰ管理サーバーは、ＦＡＰ２及びＦＡＰ３の情報をＦＡＰ１に送信すると仮定する。ＦＡＰ管理サーバーによってＦＡＰ１に送信された情報は、ＦＡＰ２の識別子及びＦＡＰ３の識別子を含む。ＦＡＰ２及びＦＡＰ３の両方ともがＣＳＧ  ＦＡＰである場合、ＦＡＰ管理サーバーによってＦＡＰ１に送信された情報は、ＦＡＰ２のＣＳＧ情報及びＦＡＰ３のＣＳＧ情報をさらに含む。任意選択によって、ＦＡＰ管理サーバーによってＦＡＰ１に送信された情報は、ＦＡＰ２のチャンネル周波数及びＦＡＰ３のチャンネル周波数などの情報をさらに含んでもよい。
【０２４８】
任意選択によって、ＦＡＰ管理サーバーがＭＢＳの情報を維持する場合、ＦＡＰ管理サーバーはＦＡＰ１に隣接するＭＢＳの情報をＦＡＰ１に送信する。
【０２４９】
この実施形態において、ＦＡＰ２及びＦＡＰ３の両方ともがＣＳＧ  ＦＡＰであると仮定する。
【０２５０】
ステップ１３５：ＦＡＰ１はＭＳ  ＣＳＧ情報応答メッセージを受信し、このメッセージから隣接ＦＡＰの情報を取得する。
【０２５１】
任意選択によって、ＦＡＰ管理サーバーからＦＡＰ１によって取得された基地局の情報が、ＦＡＰ１に隣接するＭＢＳ、ＦＡＰ１に隣接するオープンＦＡＰ、及び／又はＦＡＰ１に隣接するＯＳＧ  ＦＡＰの情報をさらに含む場合、ＦＡＰ１は、基地局の情報をＭＳに送信する。
【０２５２】
ステップ１３６：ＦＡＰ１は、ＭＳにＲＮＧ−ＲＳＰメッセージを送信し、このＲＮＧ−ＲＳＰメッセージは他の基地局の情報、例えば、ＭＳのロケーション更新サービス又はリエントリーサービスをサポートするＦＡＰ２及びＦＡＰ３の識別子、ＦＡＰ２及びＦＡＰ３がロケーション更新サービス又はリエントリーサービスをサポートすることを指示するための指示情報を運ぶ。任意選択によって、ＲＮＧ−ＲＳＰメッセージはＭＳのロケーション更新サービス又はリエントリーサービスをサポートするＦＡＰ２及び／又はＦＡＰ３によって用いられるチャンネル周波数をさらに運んでもよい。
【０２５３】
ステップ１３７：ＭＳは、他の基地局の情報に従ってサービスをサポートする基地局を決定し、目標基地局を決定し、ロケーション更新サービス又はリエントリーサービスの指示情報を目標基地局に送信する。目標基地局はＭＳにネットワーク・アクセス・サービスを提供するので、ＭＳは、目標基地局によってロケーション更新サービス又はリエントリーサービスを実行し得る。
【０２５４】
ＭＳは、ＦＡＰ１によって送信された他の基地局の情報を受信し、隣接ＦＡＰのＣＳＧ情報に従って、ＣＳＧ情報の中のＭＳ識別子情報を含むＦＡＰを決定し、このＦＡＰは、ロケーション更新サービス又はＭＳのリエントリーサービスをサポートする。
【０２５５】
サービスをサポートする基地局を選択した後、ＭＳは予め設定された基地局選択ストラテジーを用いてサービスをサポートする基地局の中で目標基地局を決定する。目標基地局を決定するＭＳの方法は制限されない。詳細については、第１７実施形態のステップ１２７の対応する説明を参照することができ、詳細はここでは再度説明されない。図１３は、ＭＳが目標基地局としてＦＡＰ２を選択する状態を示す。
【０２５６】
この実施形態において、ＭＳが現在接続されているＦＡＰの加入者グループに所属しないとき、ＦＡＰは、ＦＡＰ管理サーバーから他の基地局の情報を取得し、他の基地局の情報をＭＳに送信し、ＭＳを端末のロケーション更新サービス又はリエントリーをサポートする基地局に案内するので、基地局からの目標基地局の選択における盲目性を低減し、これによってアイドルモードのＭＳによるロケーション更新サービス又はリエントリーサービスの実行効率が上がる。
【０２５７】
さらに、ＦＡＰ１が非緊急サービスをサポートする基地局の情報を取得する異なる方法に応じて、この実施形態による技術解決策の技術的特徴の一部を置き換えて、本発明の実施形態のいくつかの変形形態を得ることができる。
【０２５８】
＜第２１実施形態＞
この実施形態は、本発明のリダイレクト方法のさらに別の実施形態である。この実施形態と第２０実施形態の相違は、この実施形態において、ＷｉＭＡＸ  ＦＡＰの展開において、隣接ＦＡＰの情報が展開されたＦＡＰ上に予め構成し得ることである。隣接ＦＡＰの情報は、ＦＡＰのタイプ及びＦＡＰの識別子を含む。ＦＡＰがＣＳＧ  ＦＡＰである場合、隣接ＦＡＰの情報は、ＣＳＧ  ＦＡＰのＣＳＧ情報をさらに含み、このＣＳＧ情報は、ＣＳＧに含まれる端末識別子のリストとし得る。ＦＡＰの情報は１つ又は複数の部分の以下の情報をさらに含んでもよい。ＦＡＰによって用いられるチャンネル周波数、パワー及び位置、ＦＡＰの緊急サービスサポート能力の情報、並びにＦＡＰが所属するページンググループの識別子。
【０２５９】
この実施形態において、ＦＡＰ１は、ＦＡＰ管理サーバーからＭＳの非緊急サービスをサポートする基地局の情報を照会する必要がなく、すなわち、ステップ１３３及び１３４は実行する必要がなく、ステップ１３５は、具体的には、ＦＡＰ１が予めの構成に従って他の基地局の情報を取得する。他の処理プロセスは、第２０実施形態に類似しており、ここでは再度説明されない。
【０２６０】
この実施形態において、隣接ＦＡＰの中のＣＳＧ  ＦＡＰのＣＳＧが変更される場合、ＦＡＰ１は、隣接ＦＡＰの予め展開された情報を更新し得る。ＣＳＧ  ＦＡＰの情報を更新する方法は制限されない。例えば、ネットワーク管理者は、ＦＡＰ１上のＣＳＧ  ＦＡＰの情報を手動で更新する。代替として、ＣＳＧが変更されるＦＡＰは、能動的に隣接ＦＡＰに通知してもよく、隣接ＦＡＰは、隣接ＦＡＰ上に構成された情報を更新してもよい。
【０２６１】
この実施形態において、ＭＳが現在接続されているＦＡＰの加入者グループに所属しないとき、ＦＡＰは、他の基地局の情報を予め構成し、他の基地局の情報をＭＳに送信し、ＭＳのロケーション更新サービス又はリエントリーサービスをサポートする目標基地局にＭＳを案内するので、ＭＳによる目標基地局の選択における盲目性が低減され、これによってアイドルモードのＭＳによるロケーション更新サービス又はリエントリーサービスの実行効率が上がる。
【０２６２】
＜第２２実施形態＞
この実施形態は、本発明のリダイレクト方法のさらに別の実施形態である。この実施形態と第２０実施形態の相違は、この実施形態において、ＦＡＰ１が、ＦＡＰ１に隣接するＭＢＳの情報を取得することである。この場合、ステップ１３６において、ＭＳに送信されたＲＥＱ−ＲＳＰメッセージは、取得されたＭＢＳの情報をさらに運ぶ。他の処理プロセスは第２０実施形態に類似しており、ここでは再度説明されない。
【０２６３】
ＭＢＳの情報を取得するＦＡＰ１の方法は制限されない。詳細については、第６実施形態の対応する説明を参照することができ、詳細はここでは再度説明されない。
【０２６４】
この実施形態において、ＭＳが現在接続されているＦＡＰの加入者グループに所属しないとき、ＦＡＰは、ＦＡＰの周辺に展開されたＭＢＳの情報を取得し、取得したＭＢＳの情報をＭＳに送信し、ＭＳをＭＢＳに案内することができ、これによってアイドルモードのＭＳによるロケーション更新サービス又はリエントリーサービスの実行効率が上がる。
【０２６５】
＜第２３実施形態＞
図１４は、本発明の第２３実施形態による端末の概略構造図である。図１４に示すように、この実施形態の端末は、サービス情報送信モジュール１４１、基地局情報受信モジュール１４２、及び基地局決定モジュール１４３を含む。
【０２６６】
サービス情報送信モジュール１４１は、メッセージをＦＡＰに送信するように構成され、このメッセージは端末によって要求されたサービスの情報を含む。
【０２６７】
基地局情報受信モジュール１４２は、ＦＡＰによって送信された他の基地局の情報を受信するように構成され、この他の基地局の情報は、ＦＡＰがサービスをサポートしないことを決定するとき、ＦＡＰによって取得される。
【０２６８】
基地局決定モジュール１４３は、基地局の情報に従ってサービスをサポートする基地局を決定するように構成され、サービスをサポートする基地局の中で目標基地局を決定する。
【０２６９】
さらに、基地局情報受信モジュールによって受信した他の基地局の情報は、基地局の識別子、及び対応する基地局がサービスをサポートするかどうかを指示する指示情報を含む。任意選択によって、他の基地局の情報は、基地局によって用いられるチャンネル周波数をさらに含んでもよい。基地局決定モジュール１４３は、対応する基地局がサービスをサポートするかどうかを指示する指示情報に従ってサービスをサポートする基地局を決定し、サービスをサポートする基地局の中で目標基地局を決定する。
【０２７０】
前述の技術的解決策において、任意選択によって、端末によって要求されたサービスは、緊急サービス、ロケーション更新サービス、又はリエントリーサービスを含んでもよい。
【０２７１】
前述の技術的解決に基づいて、基地局決定モジュール１４３は、サービス実行基地局決定ユニット１４３０、及び目標基地局決定ユニット１４３１を含む。
【０２７２】
基地局情報受信モジュールは、具体的には、基地局の識別子及び対応する基地局がサービスをサポートするかどうかを指示する指示情報を受信する。サービス実行基地局決定ユニット１４３０は、対応する基地局がサービスをサポートするかどうかを指示する指示情報に従って、サービスをサポートする基地局を決定するように構成される。目標基地局決定ユニット１４３１は、サービスをサポートする基地局の中で目標基地局を決定するように構成される。
【０２７３】
目標基地局決定ユニットは、第１の決定ユニット１４３１１、又は第２の決定ユニット１４３１２を含む。
【０２７４】
第１の決定ユニット１４３１１は、サービスをサポートする基地局の信号強度に従って目標基地局を決定するように構成される。
【０２７５】
代替として、基地局情報受信モジュール１４２は、具体的には、基地局によって用いられるチャンネル周波数を受信する。したがって、第２の決定ユニット１４３１２は、端末によってサポートされるチャンネル周波数と一致するチャンネル周波数を備える基地局を目標基地局として決定するように構成される。
【０２７６】
サービス情報送信モジュール１４１は、目標基地局にメッセージを送信するように構成され、このメッセージは端末によって要求されたサービスの情報を含む。
【０２７７】
この実施形態において、現在端末に接続されているＦＡＰが、端末によって要求されたサービスをサポートしないとき、端末は、ＦＡＰによって取得された他の基地局の情報を受信することができるので、端末は、端末によって要求されたサービスをサポートする目標基地局を正しく選択することができ、これによって、目標基地局の選択における盲目性を低減し、端末によって要求されたサービスの実行効率が上がる。
【０２７８】
＜第２４実施形態＞
図１５は、本発明の第２４実施形態による通信システムの概略構造図である。図１５に示すように、この実施形態の通信システムは、ＦＡＰ１５１及び端末１５２を含み、このＦＡＰ１５１は端末１５２と通信接続されている。
【０２７９】
ＦＡＰ１５１は、メッセージを受信し、このメッセージは端末によって要求されたサービスの情報を含み、ＦＡＰがサービスをサポートしないことをＦＡＰが決定するとき、他の基地局の情報を取得し、端末が、基地局の情報に従って目標基地局を決定し、メッセージを目標基地局に送信できるように、基地局の情報を端末に送信するように構成される。
【０２８０】
端末１５２は、ＦＡＰにメッセージを送信し、このメッセージは、端末によって要求されたサービスの情報を含み、ＦＡＰによって送信された他の基地局の情報を受信し、ＦＡＰがサービスをサポートしないことを決定するとき、この他の基地局の情報がＦＡＰによって取得され、他の基地局の情報は、少なくとも基地局の識別子及び対応する基地局がサービスをサポートするかどうかを指示する指示情報を含み、基地局の情報に従ってサービスをサポートする基地局を決定し、サービスをサポートする基地局の中で目標基地局を決定し、メッセージを目標基地局に送信するように構成される。
【０２８１】
この実施形態において、現在端末に接続されているＦＡＰが、端末によって要求されたサービスをサポートしないとき、ＦＡＰは他の基地局の情報を取得し、基地局の情報を端末に送信するので、端末は、端末によって要求されたサービスをサポートする目標基地局を正しく選択することができる。したがって、端末は、端末によって要求されたサービスをサポートする目標基地局にリダイレクトされ、これによって端末によって要求されたサービスの実行効率が上がる。
【０２８２】
当業者であれば、添付図面は例示的実施形態の概要図に過ぎず、添付図面中のモジュール又はプロセスは本発明の実施において必ずしも必要ではないことを理解すべきである。
【０２８３】
当業者であれば、一実施形態によるデバイスにおけるモジュールは、実施形態の説明による実施形態のデバイス中に配分してもよく、又はこの実施形態とは異なる１つ又は複数のデバイス中に配置されるように変更してもよいことを理解すべきである。上記実施形態におけるモジュールは、１つのモジュールに結合してもよく、又はさらに複数のサブモジュールに分割してもよい。
【０２８４】
本発明の上記実施形態の連番は、説明の便宜のために過ぎず、実施形態の質に影響を与えない。
【０２８５】
当業者であれば、本発明の実施形態による方法のステップの全て又は一部がプログラム命令関連ハードウェアによって実行できることを理解すべきである。プログラムはコンピュータ読み取り可能な記憶媒体に記憶することができる。プログラムが実行されるとき、本発明の実施形態による方法のステップが実行される。記憶媒体は、リードオンリーメモリー（ＲＯＭ）、ランダムアクセスメモリー（ＲＡＭ）、磁気ディスク、及び光ディスクなど、プログラムコードを記憶することのできる任意の媒体でもよい。
【０２８６】
最後に、上記実施形態は、本発明の技術的解決を説明するために提供され、本発明を制限するものではないことに留意すべきである。本発明は、実施形態を参照して詳細に説明されたが、当業者であれば、修正及び置換が本発明の精神及び範囲から逸脱しない場合、実施形態に説明された技術的解決策に修正を加えることができ、又は技術的解決策におけるいくつかの地術的特徴に均等の置換を行うことができることを理解すべきである。
【０２８７】
本出願は、「ＲＥＤＩＲＥＣＴＩＯＮ  ＭＥＴＨＯＤ，ＲＥＤＩＲＥＣＴＩＯＮ  ＤＥＶＩＣＥ，ＡＮＤ  ＣＯＭＭＵＮＩＣＡＴＩＯＮ  ＳＹＳＴＥＭ」の名称で２００９年１１月２７日に中国特許庁に出願された中国特許出願第２００９１０２２５８９４．３号の優先権を主張するものであり、その内容全体は参照によって本出願明細書に組み込まれる。
【図１】
0005467156.tif 000002
【図２】
0005467156.tif 000003
【図３】
0005467156.tif 000004
【図４】
0005467156.tif 000005
【図５】
0005467156.tif 000006
【図６】
0005467156.tif 000007
【図７】
0005467156.tif 000008
【図８】
0005467156.tif 000009
【図９】
0005467156.tif 000010
【図１０】
0005467156.tif 000011
【図１１】
0005467156.tif 000012
【図１２】
0005467156.tif 000013
【図１３】
0005467156.tif 000014
【図１４】
0005467156.tif 000015
【図１５】
0005467156.tif 000016